(57)【要約】  表面にテープを固定するためのテープアプリケータアセンブリは、本体を含み、また、供給のために前記本体内において自動的にテープアセンブリをセンタリングおよびロッキングするように構成されるセンタリングおよびロッキングアセンブリを含み得る。テープアプリケータアセンブリはさらに、少なくとも１つのケーブルおよび表面にテープを固定するために構成され得、上記本体は、テープ中心長手方向軸を有するテープを有するテープアセンブリを受け入れるために規定されるテープ受入キャビティを含む。少なくとも１つのケーブルおよび表面の両方へテープを接着するように構成されるテープ適用アセンブリが本体内に規定され得る。表面に対して位置決めされる少なくとも１つのケーブルを受け入れるとともに少なくとも１つのケーブルをテープ中心長手方向軸に実質的に位置合わせするように構成されるケーブル位置合せアセンブリも本体内に規定され得る。
2017506173.tif 000002
【特許請求の範囲】
【請求項１】
第１の表面にテープを固定するためのテープアプリケータアセンブリであって、
（ａ）本体と、
（ｂ）供給のために前記本体内において自動的にテープアセンブリをセンタリングおよびロックするように構成されるセンタリングおよびロッキングアセンブリとを含む、テープアプリケータアセンブリ。
【請求項２】
前記テープアセンブリは、外表面、内表面、および、第１の横方向接着部分と第２の横方向接着部分との間で前記内表面に沿って長手方向に延在する中間接着部分を有するテープを含み、前記中間接着部分は、前記第１の横方向接着部分および前記第２の横方向接着部分よりも粘着性が少ない、請求項１に記載のアセンブリ。
【請求項３】
前記テープアセンブリは、コア軸方向長を有するコア上に固定されるテープロールを含み、前記コアは、ハブ軸方向長を有するハブ上に除去可能に軸方向に受け入れ可能であり、前記ハブは前記本体内において回転可能に固定可能である、請求項１に記載のアセンブリ。
【請求項４】
前記コア軸方向長は前記ハブ軸方向長と異なる、請求項３に記載のアセンブリ。
【請求項５】
前記センタリングおよびロッキングアセンブリはさらに、前記コアの内部円筒表面上に規定される第１のロッキング機構を含み、前記第１のロッキング機構は、前記ハブの外部円筒表面上に規定される第２のロッキング機構と接続するように構成される、請求項３に記載のアセンブリ。
【請求項６】
前記第１のロッキング機構は軸方向において前記コア上で実質的にセンタリングされ、前記第２のロッキング機構は軸方向において前記ハブ上で実質的にセンタリングされる、請求項５に記載のアセンブリ。
【請求項７】
前記第１のロッキング機構は、突出部および環状溝のうちの一方であり、前記第２のロッキング機構は、前記突出部および前記環状溝のうちの他方であり、前記突出部は前記環状溝内において除去可能に受け入れ可能である、請求項５に記載のアセンブリ。
【請求項８】
前記センタリングおよびロッキングアセンブリはさらに、前記コアおよび前記ハブのうちの一方上で軸方向においてセンタリングされる突出部と、前記コアおよび前記ハブのうちの他方上で軸方向においてセンタリングされる環状溝とを含み、前記突出部は、前記ハブ上で前記コアをセンタリングおよびロックするために、前記環状溝内に除去可能に受け入れ可能である、請求項３に記載のアセンブリ。
【請求項９】
前記本体内に前記ハブを除去可能に回転可能に固定するように構成されるハブロッキングアセンブリをさらに含む、請求項８に記載のアセンブリ。
【請求項１０】
前記ハブロッキングアセンブリは、
（ａ）前記本体内に固定されるシャフトと、
（ｂ）前記シャフトを回転可能に受け入れるように構成される、前記ハブ内に規定される中心貫通孔と、
（ｃ）前記ハブと前記シャフトとの間に規定されるベアリングアセンブリとを含む、請求項９に記載のアセンブリ。
【請求項１１】
前記ハブロッキングアセンブリはさらに、前記シャフト上に前記ハブを除去可能に固定するための締結アセンブリを含み、前記締結アセンブリは、前記ハブが前記シャフト上に受け入れられると、前記シャフト内に除去可能に受け入れ可能な締結具を有する、請求項１０に記載のアセンブリ。
【請求項１２】
前記締結アセンブリはさらに、前記ハブが前記シャフトの周りを回転する能力を調節するために前記締結具が選択的に締められると、前記ハブの部分と係合可能なノブを含む、請求項１１に記載のアセンブリ。
【請求項１３】
前記テープロールは、外表面、内表面、および、第１の横方向接着部分と第２の横方向接着部分との間で前記内表面に沿って長手方向に延在する中間接着部分を有するテープから構成され、前記中間接着部分は、前記第１の横方向接着部分および前記第２の横方向接着部分よりも粘着性が少ない、請求項９に記載のアセンブリ。
【請求項１４】
少なくとも１つのケーブルおよび第１の表面にテープを固定するためのテープアプリケータアセンブリであって、
（ａ）第１の表面上に位置決めされる少なくとも１つのケーブルに沿って移動可能な本体と、
（ｂ）テープを有するテープアセンブリを受け入れるための、前記本体に規定されるテープ受入キャビティとを含み、前記テープアセンブリは、前記テープが前記本体からの供給のために位置決めされるように前記テープ受入キャビティ内に受け入れ可能であり、前記テープアプリケータアセンブリはさらに、
（ｃ）前記本体内に規定されるテープ適用アセンブリを含み、前記テープ適用アセンブリは、前記本体が前記第１の表面上で前記少なくとも１つのケーブルに沿って移動すると、前記少なくとも１つのケーブルおよび前記第１の表面の両方へ前記テープを接着するように構成される、テープアプリケータアセンブリ。
【請求項１５】
前記テープ適用アセンブリは、前記本体が前記表面上を前記少なくとも１つのケーブルに沿って移動すると前記少なくとも１つのケーブルおよび前記表面の両方に圧力を加えるよう変形可能であるテープ適用部分を有するホイールアセンブリを含む、請求項１４に記載のアセンブリ。
【請求項１６】
前記テープ適用アセンブリは、前記テープアセンブリと前記ホイールアセンブリとの間に位置決めされる引っ張り器をさらに含み、前記引っ張り器は、供給の間に前記テープにおいて張力を維持するために前記テープと係合可能である、請求項１５に記載のアセンブリ。
【請求項１７】
供給のために前記本体内において自動的に前記テープアセンブリをセンタリングおよびロックするように構成されるセンタリングおよびロッキングアセンブリをさらに含む、請求項１４に記載のアセンブリ。
【請求項１８】
前記テープアセンブリは、外表面、内表面、および、第１の横方向接着部分と第２の横方向接着部分との間で前記内表面に沿って長手方向に延在する中間接着部分を有するテープを含み、前記中間接着部分は、前記第１の横方向接着部分および前記第２の横方向接着部分よりも粘着性が少ない、請求項１７に記載のアセンブリ。
【請求項１９】
前記テープアセンブリは、コア軸方向長を有するコア上に固定されるテープロールを含み、前記コアは、ハブ軸方向長を有するハブ上に除去可能に軸方向に受け入れ可能であり、前記ハブは前記本体内において回転可能に固定可能である、請求項１７に記載のアセンブリ。
【請求項２０】
前記テープロールは、外表面、内表面、および、第１の横方向接着部分と第２の横方向接着部分との間で前記内表面に沿って長手方向に延在する中間接着部分を有するテープを含み、前記中間接着部分は、前記第１の横方向接着部分および前記第２の横方向接着部分よりも粘着性が少ない、請求項１９に記載のアセンブリ。
【請求項２１】
前記センタリングおよびロッキングアセンブリはさらに、前記コアおよび前記ハブのうちの一方上で軸方向においてセンタリングされる突出部と、前記コアおよび前記ハブのうちの他方上で軸方向においてセンタリングされる環状溝とを含み、前記突出部は、前記ハブ上で前記コアをセンタリングおよびロックするために、前記環状溝内に除去可能に受け入れ可能である、請求項１９に記載のアセンブリ。
【請求項２２】
前記本体内に前記ハブを除去可能に回転可能に固定するように構成されるハブロッキングアセンブリをさらに含む、請求項２１に記載のアセンブリ。
【請求項２３】
前記ハブロッキングアセンブリは、
（ａ）前記本体内に固定されるシャフトと、
（ｂ）前記シャフトを回転可能に受け入れるように構成される、前記ハブ内に規定される中心貫通孔と、
（ｃ）前記ハブと前記シャフトとの間に規定されるベアリングアセンブリとを含む、請求項２２に記載のアセンブリ。
【請求項２４】
前記ハブロッキングアセンブリはさらに、前記シャフト上に前記ハブを除去可能に固定するために締結アセンブリを含み、前記締結アセンブリは、前記ハブが前記シャフト上に受け入れられると、前記シャフト内に除去可能に受け入れ可能な締結具を有する、請求項２３に記載のアセンブリ。
【請求項２５】
前記締結アセンブリはさらに、前記ハブが前記シャフトの周りを回転する能力を調節するために前記締結具が選択的に締められると、前記ハブの部分と係合可能なノブを含む、請求項２４に記載のアセンブリ。
【請求項２６】
少なくとも１つのケーブルおよび第１の表面にテープを固定するためのテープアプリケータアセンブリであって、
（ａ）第１の表面上に位置決めされる少なくとも１つのケーブルに沿って移動可能な本体と、
（ｂ）テープ中心長手方向軸を有するテープを有するテープアセンブリを受け入れるための、前記本体に規定されるテープ受入キャビティとを含み、前記テープアセンブリは、前記テープが前記本体からの供給のために位置決めされるように前記テープ受入キャビティ内に受け入れ可能であり、前記テープアプリケータアセンブリはさらに、
（ｃ）前記本体内に規定されるケーブル位置合せアセンブリを含み、前記ケーブル位置合せアセンブリは、前記本体が前記表面上で前記少なくとも１つのケーブルに沿って移動すると、前記第１の表面に対して位置決めされる前記少なくとも１つのケーブルを受け入れ、かつ、前記少なくとも１つのケーブルを前記テープ中心長手方向軸と実質的に位置合わせするように構成される、テープアプリケータアセンブリ。
【請求項２７】
前記テープは、外表面、内表面、および、前記テープの前記内表面上において第１の横方向接着部分と第２の横方向接着部分との間を前記テープ中心長手方向軸に沿って延在する中間接着部分を有し、前記中間接着部分は、前記第１の横方向接着部分および前記第２の横方向接着部分よりも粘着性が少ない、請求項２６に記載のアセンブリ。
【請求項２８】
前記ケーブル位置合せアセンブリは、前記少なくとも１つのケーブルを受け入れるとともに前記テープ中心長手方向軸と実質的に位置合わせするための、前記本体の底部内部内に規定されるファンネルを含み、前記ファンネルは、前記本体の前部における前部ケーブル開口部と、前記前部ケーブル開口部の反対の後部ケーブル開口部とを規定し、前記ファンネルは前記前部ケーブル開口部から前記後部ケーブル開口部までサイズがテーパする、請求項２６に記載のアセンブリ。
【請求項２９】
前記ファンネルは、前記後部ケーブル開口部のサイズおよび形状のうちの少なくとも１つを調節するように構成される第１の調節可能なファンネルピースを含む、請求項２８に記載のアセンブリ。
【請求項３０】
前記ケーブル位置合せアセンブリは、前記少なくとも１つのケーブルが前記後部ケーブル開口部から出ると、前記少なくとも１つのケーブルを係合し前記少なくとも１つのケーブルの位置合せを維持するための付勢部材をさらに含む、請求項２９に記載のアセンブリ。
【請求項３１】
前記本体内に規定されるテープ適用アセンブリをさらに含み、前記テープ適用アセンブリは、前記本体が前記第１の表面上で前記少なくとも１つのケーブルに沿って移動すると、前記少なくとも１つのケーブルおよび前記第１の表面の両方へ前記テープを接着するように構成される、請求項２６に記載のアセンブリ。
【請求項３２】
前記テープ適用アセンブリは、前記本体が前記第１の表面上を前記少なくとも１つのケーブルに沿って移動すると前記少なくとも１つのケーブルおよび前記第１の表面の両方に圧力を加えるよう変形可能であるテープ適用部分を有するホイールアセンブリを含む、請求項３１に記載のアセンブリ。
【請求項３３】
前記テープ適用アセンブリは、前記テープアセンブリと前記ホイールアセンブリとの間に位置決めされる引っ張り器をさらに含み、前記引っ張り器は、供給の間に前記テープにおいて張力を維持するために前記テープと係合可能である、請求項３２に記載のアセンブリ。
【請求項３４】
供給のために前記本体内において自動的に前記テープアセンブリをセンタリングおよびロックするように構成されるセンタリングおよびロッキングアセンブリをさらに含む、請求項２６または３１に記載のアセンブリ。
【請求項３５】
前記テープアセンブリは、コア軸方向長を有するコア上に固定されるテープロールを含み、前記コアは、ハブ軸方向長を有するハブ上に除去可能に軸方向に受け入れ可能であり、前記ハブは前記本体内において回転可能に固定可能である、請求項３４に記載のアセンブリ。
【請求項３６】
前記センタリングおよびロッキングアセンブリはさらに、前記コアおよび前記ハブのうちの一方上で軸方向においてセンタリングされる突出部と、前記コアおよび前記ハブのうちの他方上で軸方向においてセンタリングされる環状溝とを含み、前記突出部は、前記ハブ上で前記コアをセンタリングおよびロックするために、前記環状溝内に除去可能に受け入れ可能である、請求項３５に記載のアセンブリ。
【請求項３７】
前記本体内に前記ハブを除去可能に回転可能に固定するように構成されるハブロッキングアセンブリをさらに含む、請求項３６に記載のアセンブリ。
【請求項３８】
前記ハブロッキングアセンブリは、
（ａ）前記本体内に固定されるシャフトと、
（ｂ）前記シャフトを回転可能に受け入れるように構成される、前記ハブ内に規定される中心貫通孔と、
（ｃ）前記ハブと前記シャフトとの間に規定されるベアリングアセンブリとを含む、請求項３７に記載のアセンブリ。
【請求項３９】
前記ハブロッキングアセンブリはさらに、前記シャフト上に前記ハブを除去可能に固定するために締結アセンブリを含み、前記締結アセンブリは、前記ハブが前記シャフト上に受け入れられると、前記シャフト内に除去可能に受け入れ可能な締結具を有する、請求項３８に記載のアセンブリ。
【請求項４０】
前記締結アセンブリはさらに、前記ハブが前記シャフトの周りを回転する能力を調節するために前記締結具が選択的に締められると、前記ハブの部分と係合可能なノブを含む、請求項３９に記載のアセンブリ。
【請求項４１】
前記第１の表面に沿った前記本体の動きをガイドするように構成される位置合せメカニズムをさらに含む、請求項１、１４、または２６に記載のアセンブリ。
【請求項４２】
前記位置合せメカニズムはレーザである、請求項４１に記載のアセンブリ。
【請求項４３】
前記テープ適用部分は、前記第１の表面と係合可能な横方向転動ホイール同士の間に配置され、前記横方向転動ホイールは直径が前記テープ適用部分より小さい、請求項１５または３２に記載のアセンブリ。
【請求項４４】
前記テープ適用部分は圧縮可能である、請求項４３に記載のアセンブリ。
【請求項４５】
前記第１の調節可能なファンネルピースは、少なくとも第２の調節可能なファンネルピースと交換可能である、請求項２９に記載のアセンブリ。
【請求項４６】
前記第１の調節可能なファンネルピースから後方に延在する第１および第２のホイールアセンブリアームをさらに含み、前記第１および第２のホイールアセンブリアームは、前記本体内にホイールアセンブリを回転可能に配置するように構成される、請求項２９に記載のアセンブリ。
【請求項４７】
前記ホイールアセンブリは、前記本体が前記第１の表面上を前記少なくとも１つのケーブルに沿って移動すると、前記少なくとも１つのケーブルおよび前記第１の表面の両方に圧力を加えるようサイズ決めされる、請求項４６に記載のアセンブリ。
【請求項４８】
前記ホイールアセンブリは、前記本体が前記第１の表面上を前記少なくとも１つのケーブルに沿って移動すると、前記少なくとも１つのケーブルおよび前記第１の表面の両方に圧力を加えるよう変形可能なテープ適用部分を含む、請求項４６に記載のアセンブリ。
【請求項４９】
前記テープ適用アセンブリはさらに、前記テープの非接着外表面と係合可能であるテープガイドを含む、請求項３１に記載のアセンブリ。
【請求項５０】
前記テープガイドは、前記少なくとも１つのケーブルとの係合のために前記テープを形状決めするように構成される、請求項４９に記載のアセンブリ。
【請求項５１】
前記テープガイドは、前記テープの接着側が前記少なくとも１つのケーブルと実質的に前記テープ中心長手方向軸上で係合するように、前記テープを形状決めするように構成される、請求項４９に記載のアセンブリ。
【請求項５２】
前記テープガイドは、第１および第２の実質的に円錐台形状の部分によって規定され、各円錐台形状部分はテーパされた端部を規定しており、前記第１および第２の実質的に円錐台形状部分の前記テーパされた端部は互いに反対に配置される、請求項４９に記載のアセンブリ。
【請求項５３】
前記テープアセンブリと前記ホイールアセンブリとの間に配置されるテープガイドをさらに含み、前記テープガイドは、前記テープの非接着外表面と係合可能である、請求項３２に記載のアセンブリ。
【請求項５４】
前記テープガイドは、前記少なくとも１つのケーブルとの係合のために前記テープを形状決めするように構成される、請求項５３に記載のアセンブリ。
【請求項５５】
前記テープガイドは、前記テープの接着側が前記少なくとも１つのケーブルと実質的に前記テープ中心長手方向軸上で係合するように、前記テープを形状決めするように構成される、請求項５３に記載のアセンブリ。
【請求項５６】
前記テープガイドは、第１および第２の実質的に円錐台形状の部分によって規定され、各円錐台形状部分はテーパされた端部を規定しており、前記第１および第２の実質的に円錐台形状部分の前記テーパされた端部は互いに反対に配置される、請求項５３に記載のアセンブリ。
【請求項５７】
前記テープ適用アセンブリは、前記本体が前記第１の表面上で前記少なくとも１つのケーブルに沿って移動すると、前記少なくとも１つのケーブルの各側上において前記テープに圧力を加えるように構成される第１および第２のホイールセットを有するホイールアセンブリを含む、請求項１４に記載のアセンブリ。
【請求項５８】
前記第１および第２のホイールセットは、前記少なくとも１つのケーブルの幅に実質的に対応するホイールギャップを規定するよう、第１および第２のホイールセット調節アセンブリを通って互いに向かうようにおよび互いから離れるように移動可能である、請求項５７に記載のアセンブリ。
【請求項５９】
前記テープアセンブリと前記ホイールアセンブリとの間に配置されるテープガイドをさらに含み、前記テープガイドは、前記テープの非接着外表面と係合可能である、請求項５７に記載のアセンブリ。
【請求項６０】
前記テープガイドは、前記少なくとも１つのケーブルとの係合のために前記テープを形状決めするように構成される、請求項５９に記載のアセンブリ。
【請求項６１】
前記テープガイドは、前記テープの接着側が前記少なくとも１つのケーブルと実質的に前記テープ中心長手方向軸上で係合するように、前記テープを形状決めするように構成される、請求項５９に記載のアセンブリ。
【請求項６２】
前記テープガイドは、第１および第２の実質的に円錐台形状の部分によって規定され、各円錐台形状部分はテーパされた端部を規定しており、前記第１および第２の実質的に円錐台形状部分の前記テーパされた端部は互いに反対に配置される、請求項５９に記載のアセンブリ。
【請求項６３】
前記ファンネルは、前記前部ケーブル開口部と前記後部ケーブル開口部との間を延在する第１および第２のファンネルガイドによって規定される、請求項２８に記載のアセンブリ。
【請求項６４】
前記第１および第２のファンネルガイドは、前記後部ケーブル開口部の前記サイズを増加または減少させるための第１および第２のファンネル調節アセンブリによって調節可能である、請求項６３に記載のアセンブリ。
【請求項６５】
前記第１および第２のファンネル調節アセンブリは、前記第１および第２のファンネルガイドに結合される第１および第２のブラケットを含み、前記第１および第２のブラケットは、互いに向かうようにまたは互いから離れるように前記第１および第２のファンネルガイドを移動させるために第１および第２の旋回点の周りを移動可能である、請求項６４に記載のアセンブリ。
【請求項６６】
前記第１および第２のファンネル調節アセンブリは、互いに向かうようにまたは互いから離れるように前記第１および第２のファンネルガイドを移動させるために前記第１および第２のファンネルガイドと選択的に係合可能である第１および第２の楕円形状調節器を含む、請求項６４に記載のアセンブリ。
【請求項６７】
前記テープ適用アセンブリは、前記第１の表面および第２の表面によって規定されるコーナー内に位置決めされる少なくとも１つのケーブルにテープを固定するために、前記本体のコーナー内に配置されるホイールアセンブリを含む、請求項１４に記載のアセンブリ。
【請求項６８】
前記ホイールアセンブリは、第２のホイールに対して実質的に横断方向に配置される第１のホイールを含む、請求項６７に記載のアセンブリ。
【請求項６９】
前記第１のホイールは、前記第２のホイールに向かうようにおよび前記第２のホイールから離れるように移動可能である、請求項６８に記載のアセンブリ。
【請求項７０】
前記テープ適用アセンブリは、前記テープアセンブリと前記ホイールアセンブリとの間に位置決めされるテープガイドをさらに含み、前記テープガイドは、前記テープの非接着外表面と係合可能である、請求項６７に記載のアセンブリ。
【請求項７１】
前記テープガイドは、前記コーナー内に位置決めされる前記少なくとも１つのケーブルとの係合のために前記テープを形状決めするように構成される、請求項７０に記載のアセンブリ。
【請求項７２】
前記テープガイドは、前記テープの接着側が、前記コーナー内に位置決めされる前記少なくとも１つのケーブルと実質的に前記テープ中心長手方向軸上で係合するように、前記テープを形状決めするように構成される、請求項７０に記載のアセンブリ。
【請求項７３】
前記テープガイドは第１の部分および第２の部分を含み、前記第１の部分と前記第２の部分と間に鋭角が規定される、請求項７０に記載のアセンブリ。
【請求項７４】
前記少なくとも１つのケーブルを受け入れるとともに前記テープ中心長手方向軸と実質的に位置合わせするための、前記本体の底部内部内に規定されるファンネルを有するケーブル位置合せアセンブリをさらに含み、前記ファンネルは、前記本体の前部における前部ケーブル開口部と、前記前部ケーブル開口部の反対の後部ケーブル開口部とを規定し、前記ファンネルは前記前部ケーブル開口部から前記後部ケーブル開口部までサイズがテーパする、請求項６７に記載のアセンブリ。
【請求項７５】
前記ファンネルは、前記テープアプリケータアセンブリが前記コーナー内においてケーブルをテープで留めるために位置決めされると、ファンネルガイドおよび前記第２の表面によって規定される、請求項７４に記載のアセンブリ。
【請求項７６】
前記ファンネルガイドは、前記後部ケーブル開口部のサイズを増加または減少させるために、前記第２の表面に向かうようにまたは前記第２の表面から離れるように移動可能である、請求項７５に記載のアセンブリ。
【請求項７７】
前記ファンネルは、前記テープアプリケータアセンブリが前記コーナー内においてケーブルをテープで留めるために位置決めされると、ファンネルガイドおよび前記第２の表面によって規定される、請求項７６に記載のアセンブリ。
【請求項７８】
前記ファンネルガイドは、前記後部ケーブル開口部のサイズを増加または減少させるために、前記第２の表面に向かうようにまたは前記第２の表面から離れるように移動可能である、請求項７７に記載のアセンブリ。
【請求項７９】
前記センタリングおよびロッキングアセンブリはさらに、前記コアおよび前記ハブのうちの一方上で軸方向においてセンタリングされる突出部と、前記コアおよび前記ハブのうちの他方上で軸方向においてセンタリングされる切欠部とを含み、前記突出部は、前記ハブ上で前記コアをセンタリングおよびロックするために、前記切欠部内に除去可能に受け入れ可能である、請求項３に記載のアセンブリ。
【請求項８０】
前記コアおよび前記ハブのうちの１つの縁部と前記切欠部との間を軸方向に延在するスロットをさらに含む、請求項７９に記載のアセンブリ。
【請求項８１】
前記コアおよび前記ハブのうちの１つの第１の縁部と第２の縁部と間を延在するとともに前記切欠部と交差するスロットをさらに含む、請求項８０に記載のアセンブリ。
【請求項８２】
前記第１のロッキング機構は、突出部および切欠部のうちの一方であり、前記第２のロッキング機構は、前記突出部および前記切欠部のうちの他方であり、前記突出部は前記切欠部内において除去可能に受け入れ可能である、請求項３に記載のアセンブリ。
【請求項８３】
前記コアおよび前記ハブのうちの１つの縁部と前記切欠部との間を軸方向に延在するスロットをさらに含む、請求項８２に記載のアセンブリ。
【請求項８４】
前記コアおよび前記ハブのうちの１つの第１の縁部と第２の縁部と間を延在するとともに前記切欠部と交差するスロットをさらに含む、請求項８３に記載のアセンブリ。
【請求項８５】
前記テープの前記外表面と係合可能なテープガイドをさらに含む、請求項２に記載のアセンブリ。
【請求項８６】
前記テープガイドは、前記中間接着部分が前記少なくとも１つのケーブルと係合するように前記テープを形状決めするように構成される、請求項８５に記載のアセンブリ。
【請求項８７】
前記テープガイドは、前記第１および第２の横方向接着部分が前記第１の表面に係合するのに先立って前記中間接着部分が前記少なくとも１つのケーブルと係合するように、前記テープを形状決めするように構成される、請求項８５に記載のアセンブリ。
【請求項８８】
前記テープガイドは、第１および第２の実質的に円錐台形状の部分によって規定され、各円錐台形状部分はテーパされた端部を規定しており、前記第１および第２の実質的に円錐台形状部分の前記テーパされた端部は互いに反対に配置される、請求項８５に記載のアセンブリ。
【請求項８９】
前記本体内に規定されるケーブル位置合せアセンブリをさらに含み、前記ケーブル位置合せアセンブリは、前記本体が前記第１の表面上で前記少なくとも１つのケーブルに沿って移動すると、前記第１の表面に対して位置決めされる前記少なくとも１つのケーブルを受け入れ、かつ、前記少なくとも１つのケーブルを前記テープ中心長手方向軸と実質的に位置合わせするように構成される、請求項１４に記載のアセンブリ。
【請求項９０】
前記本体内に規定されるテープ適用アセンブリをさらに含み、前記テープ適用アセンブリは、前記本体が前記第１の表面上で前記少なくとも１つのケーブルに沿って移動すると、前記少なくとも１つのケーブルおよび前記第１の表面の両方へ前記テープを接着するように構成される、請求項２６に記載のアセンブリ。
【発明の詳細な説明】
【背景技術】
【０００１】
関連出願への相互参照
この出願は、２０１４年１月２８日に出願された米国特許出願番号第１４／１６６６５６号および２０１４年１月２９日に出願された米国特許出願番号第１４／１６７５５７号の一部継続出願であり、その開示はここで全文参照により援用される。この出願はさらに、２０１４年９月３０日に出願された米国仮出願番号第６２／０５７８４６号および２０１４年１１月２５日に出願された米国仮出願番号第６２／０８４４７４号に対する利益を請求し、その開示はここで全文参照により援用される。
【０００２】
背景
ガッファテープ（Gaffer tape）は、安全性のために、または、ケーブルを聴衆またはカメラから見えないようにするために、ステージの床または他の表面にケーブルを固定するためにエンターテインメント産業においてしばしば使用される特殊なタイプの感圧性接着テープである。さらに、ガッファテープは、演壇およびステージにワイヤーを保持するために、ホテルおよび会議場において視聴覚部門によって広く使用されている。
【０００３】
「ガッファ」または他の技術者はしばしば、２つ以上の位置同士の間で１つ以上のケーブル（以下「敷設ケーブル」とも称される）を敷設し、その後、ケーブルを表面にテープで留める。たとえば、敷設ケーブルは、コンセントとオーディオ機器との間を延在し得、敷設ケーブルは床、壁または他の表面へテープで留められる。敷設ケーブルをテープで留める前、または、敷設ケーブルを表面にテープで留める際に、敷設ケーブルを束ね、真っすぐにし、きつく（taught）引っ張ることがしばしば望ましい。敷設ケーブルがテープで留められる際に敷設ケーブルを位置合わせして束ねることにより、より真っすぐなテープ線が作り出され、使用されるテープのストリップが最小化され、如何なるつまずく危険も低減され、テープで留められた敷設ケーブルが美的により快くなる。
【０００４】
このように敷設ケーブルを位置合わせして束ねることは、労力のかかる不完全なプロセスであるということが認識され得る。ガッファは、一方の手で敷設ケーブルを束ね、位置合わせして、引っ張り、他方の手で敷設ケーブルを表面にテープで留めなければならない。したがって、位置合わせされ束ねられ締められた（taught）ケーブルを表面に固定するためのデバイスおよび方法の向上が望まれている。
【０００５】
上述したように、ガッファテープは、敷設ケーブルを表面にテープで留めるためにしばしば使用される特殊なタイプの感圧性接着テープである。この感圧性接着剤は、テープが所定の量の力で手動で剥がされるまで、表面に敷設ケーブルを固定するのに十分に強い。ガッファテープは、（ダクトテープのようなより粘着性のあるテープと異なり）ケーブルからきれいに除去されるように設計されているが、当該テープはそれでも、ケーブルの周りに巻き付くかまたはケーブルの間で折り重ねられ得、除去プロセスの間にテープがテープ自身に張り付くことになる。さらに、しばしばケーブルが「ガッファテープで留められる（gaffed）」場合、残留粘着剤がケーブル上に蓄積し、ケーブルからテープを除去することがより困難になる。したがって、ケーブルをガッファテープで留める際の使用に好適なテープアセンブリの向上も望まれているということもさらに認識され得る。
【発明の概要】
【課題を解決するための手段】
【０００６】
概要
表面にテープを固定するためのテープアプリケータアセンブリは、本体を含み、また、供給のために本体内において自動的にテープアセンブリをセンタリングおよびロックするように構成されるセンタリングおよびロッキングアセンブリを含み得る。テープアプリケータアセンブリはさらに、少なくとも１つのケーブルおよび表面にテープを固定するために構成され得、上記本体は、テープ中心長手方向軸を有するテープを有するテープアセンブリを受け入れるために規定されるテープ受入キャビティを含む。少なくとも１つのケーブルおよび表面の両方へテープを接着するように構成されるテープ適用アセンブリが本体内に規定され得る。表面に対して位置決めされる少なくとも１つのケーブルを受け入れるとともに少なくとも１つのケーブルをテープ中心長手方向軸に実質的に位置合わせするように構成されるケーブル位置合せアセンブリも本体内に規定され得る。この概要は、詳細な説明において以下にさらに記載される概念の選択を簡潔な態様で紹介するよう提供される。この概要は、特許請求される主題の主な特徴を識別するようには意図されておらず、特許請求される主題の範囲を判定する際の支援として使用されることも意図されない。
【０００７】
前述の局面およびこの発明に付随する利点の多くは、添付の図面と共に解釈されると、以下の詳細な説明への参照によってより容易に認識される。
【図面の簡単な説明】
【０００８】
【図１】テープアプリケータアセンブリおよびテープアセンブリが表面に敷設ケーブルをテープで留めるよう使用されているのが示される、テープアプリケータアセンブリおよびテープアセンブリの環境等角図である。
【図２】実質的に線２−２にわたる、図１のテープで留められた敷設ケーブルの断面図である。
【図３】図１のテープアプリケータアセンブリおよびテープアセンブリの部分上部等角図である。
【図４】図１のテープアプリケータアセンブリおよびテープアセンブリの部分底部等角図である。
【図５】テープアプリケータアセンブリおよびテープアセンブリが表面にケーブルをテープで留めるよう使用されているのが示される、実質的に線５−５にわたる図３のテープアプリケータアセンブリおよびテープアセンブリの部分断面図である。
【図６】実質的に線６−６にわたる図３のテープアプリケータアセンブリおよびテープアセンブリの断面図である。
【図７】図１のテープアセンブリの等角図である。
【図８Ａ】テープアプリケータアセンブリが表面にケーブルをテープで留めるよう使用されているのが示される、テープアプリケータアセンブリの第１の代替的な実施形態の底部等角図である。
【図８Ｂ】テープアプリケータアセンブリの部分が説明のために除去されている、図８Ａのテープアプリケータアセンブリの上部等角図である。
【図９】テープアプリケータアセンブリが表面にケーブルをテープで留めるよう使用されているのが示される、テープアプリケータアセンブリの第２の代替的な実施形態の前部等角図である。
【図１０】図９のテープアプリケータアセンブリの後部等角図である。
【図１１】図９のテープアプリケータアセンブリの底部等角図である。
【図１２】図９のテープアプリケータアセンブリの部分の部分的展開等角図である。
【図１３】テープアプリケータアセンブリが表面にケーブルをテープで留めているのが示される、図９のテープアプリケータアセンブリの底面図である。
【図１４】テープアプリケータアセンブリの第３の代替的な実施形態の底部等角図である。
【図１５】テープアプリケータアセンブリがコーナーにおいてケーブルをテープで留めるよう使用されているのが示される、テープアプリケータアセンブリの第４の代替的な実施形態の前部等角図である。
【図１６】図１５のテープアプリケータアセンブリの側部等角図である。
【図１７】図１５のテープアプリケータアセンブリの底部等角図である。
【図１８】図１５のテープアプリケータアセンブリの底面図である。
【図１９】図１のテープアプリケータアセンブリのセンタリングおよびロッキングアセンブリの第１の代替的な実施形態の等角図である。
【図２０】図１のテープアプリケータアセンブリのセンタリングおよびロッキングアセンブリの第２の代替的な実施形態の等角図である。
【発明を実施するための形態】
【０００９】
詳細な説明
本開示の例示的な実施形態に従って形成されるテープアプリケータアセンブリ１０およびテープアセンブリ１２は、図１を参照することにより、もっとも良く理解され得る。図２をさらに参照して、テープアプリケータアセンブリ１０は、敷設ケーブルＲにおいて１つ以上のケーブルＣを束ね、位置合わせし、きつく締めるとともに、表面Ｓに敷設ケーブルＲをテープで留めるように構成される。テープアプリケータアセンブリ１０は、表面へ敷設ケーブルＲをテープで留めるために使用されると記載されるが、テープアプリケータアセンブリ１０は任意の好適な目的に使用されてもよいということが認識されるべきである。たとえば、テープアプリケータアセンブリ１０は、表面にケーブルをテープで留めるのに好適なガッファテープを含むテープアセンブリ１２と共に使用されてもよい。代替例において、テープアプリケータアセンブリ１０は、一時的に機器を固定またはラベル付けし、席図、壁、通路、境界などをマーキングするのに好適な別のテープを含むテープアセンブリ１２と共に使用されてもよい。したがって、本願明細書において提供される説明および図は、特許請求される主題の範囲を限定するものと見なされるべきでないということが認識されるべきである。
【００１０】
テープアプリケータアセンブリ１０は、本体１４と、本体１４に固定されるハンドルアセンブリ１８とを含む。ハンドルアセンブリ１８は、本体１４を表面に対して押し、操縦し、操作するのに好適である。任意の好適なハンドルアセンブリが使用されてもよいが、示される実施形態においては、ハンドルアセンブリ１８は、旋回接続２８を通じてまたは任意の好適な手段を通じて本体１４に旋回可能に接続され得る、本体１４から上方向に延在するステム２２を含む。ステム２２は、長さが調節可能であり得、ユーザが使用のために本体１４を把握することを望む場合、除去可能であり得る。ハンドルアセンブリ１８を把握するために、好適なハンドル２４がステム２２の遠位端にて規定される。好適に本体１４を表面に対して押し、操縦し、操作するために、付加的な把持デバイス、ハンドルなどが、ステム２２に固定され得る。
【００１１】
本体１４は、テープアセンブリ１２の部分を除去可能に受け入れるとともに表面に敷設ケーブルＲをテープで留めるのに好適である。表面に敷設ケーブルＲをテープで留める前に、本体１４は、美的に快く、安全で、テープで留められた敷設ケーブルＲを作り出すために、１つ以上のケーブルＣを集め、位置合わせし、束ねて締める。
【００１２】
図３〜図６を参照して、表面に１つ以上のケーブルを集め、位置合わせし、束ね、締め、テープで留めるための本体１４の局面をここで詳細に記載する。具体的に図３を参照して、本体１４は、後部４０と前部４４との間に規定されるテープ受入キャビティ３６を有する上部３２を含む。ハンドルステム２２は、表面の上および当該表面上の所望のケーブルに沿って本体１４を前に押すために、後部４０に旋回可能に固定される。
【００１３】
ケーブル位置合せアセンブリは、本体が表面に沿って移動する際に、表面に対して位置決めされる１つ以上のケーブルを受け入れて実質的に位置合わせするために、本体１４内に規定される。ケーブル位置合せアセンブリは、レーザ４６または他の光センタリングメカニズムのような、前部４４に固定またはそうでなければ前部４４上に規定される位置合わせデバイスを含み得る。レーザ４６は、ケーブルの直線をテープで留める際にユーザをガイドするのを支援するよう、表面上にビームを照射し得る。
【００１４】
ケーブル位置合せアセンブリはさらに、レーザ４６の下において本体１４の前端部に規定され、テープアプリケータアセンブリ１０が表面上のケーブルに沿って移動される際に表面に対して位置決めされる１つ以上のケーブルを受け入れるのに好適である前部ケーブル開口部４８を含む。図４を参照して、前部ケーブル開口部４８は、本体１４の底部、内部、開放表面に沿って後方に延在し後部ケーブル開口部５４で終端するファンネル５２と連通している。ファンネル５２は、テープで留められる前にケーブルを集めて束ねるために、前部ケーブル開口部４８と後部ケーブル開口部５４との間で幅がテーパしている。
【００１５】
ファンネル５２は、後部ケーブル開口部５４のサイズの調節するための除去可能および／または調節可能な後部ファンネルピース５６をファンネル５２の後端部に含み得る。示される実施形態において、後部ファンネルピース５６は、好適なスナップ嵌合技術または他の好適な手段によって、除去可能に本体１４の底部内に固定される。後部ファンネルピース５６は、除去され得るとともに、テープ留めのためにより多いまたはより少ないケーブルを束ねるよう大きいまたは小さな後部ケーブル開口部５４を規定する別の後部ファンネルピースと交換／取り替えられ得る。代替例において、後部ファンネルピース５６は、如何なるピースの除去も必要とすることなく、後部ケーブル開口部５４のサイズを調節するための調節手段を含み得る。
【００１６】
後部ファンネルピース５６のサイズおよび形状は、所望の態様でテープで留められるべき１つ以上のケーブルを位置決めするように構成され得るということが認識されるべきである。たとえば、後部ファンネルピース５６は、表面に単一のケーブルをセンタリングしてテープで留めるよう小さな中心開口部を含み得る。別の例として、後部ファンネルピース５６は、テープ留めのためにいくつかのケーブルをセンタリングして束ねるようより深くより広い開口部を含み得る。さらに別の例として、後部ファンネルピース５６は、テープ留めのためにいくつかのケーブルが並ぶように位置決めするために、より広くより浅い開口部を含み得る（図２を参照）。したがって、後部ファンネルピース５６のサイズ、形状および構成は、任意の所望の構成における使用のために設計され得るということが認識され得る。
【００１７】
ケーブル位置合せアセンブリはさらに、好適な付勢または張力部材を含んでおり、１つ以上のケーブルが本体１４を通って供給される際に当該１つ以上のケーブルに圧力および張力を加えるためにファンネル５２の後ろに位置決めされている。示される実施形態において、張力部材は、本体１４が表面Ｓ上でケーブルＣに沿って移動している際に本体１４から離れるように（すなわち表面に向かうように）ファンネルを通ったケーブルＣを付勢するように構成される板ばね６０として具現化される。その点に関して、板ばね６０は、元々の付勢されていない状態において、本体１４の内部部分にその上端部にて固定され、本体１４の底部、内部、開放表面を通過して本体１４の後部に向かって下方向に延在する。板ばね６０は、ケーブルＣと係合されると、上方向に屈曲され付勢された位置へと移動可能である。付勢された位置において、板ばね６０は、連続的にケーブルＣと係合しケーブルＣを表面Ｓに向かうように促す。ケーブルに連続的に張力を適用することによって、テープが適用される際に、ケーブルは、きつく（taught）真っ直ぐに引っ張られ、センタリングされ束ねられた位置に維持される。
【００１８】
テープ適用アセンブリは、本体１４内において規定されており、表面上に位置決めされた位置合わせし、束ねられ、締められたケーブルにテープを適用するためにケーブル位置合せアセンブリと連通している。テープ適用アセンブリは、ケーブルＣおよび表面Ｓの両方にテープを適用するために板ばね６０の後ろに位置決めされる後部ホイールアセンブリ６６を含む。
【００１９】
図４および図５を参照して、後部ホイールアセンブリ６６は、横方向後方転動ホイール７４および７８の間に配置される中間テープ適用部分７０を含む。横方向後方転動ホイール７４および７８は、本体１４の各横方向内部側に配置され、たとえば後部ホイールアセンブリ６６を通って延在するととともに本体１４の各横方向内側に回転可能に受け入れられるピンまたはロッド（図示せず）によって任意の好適な態様で本体１４内での回転のために支持（journaled）される。後部ホイールアセンブリ６６は、本体１４が所望の表面に対して転動することを可能にするために横方向後方転動ホイール７４および７８が本体１４の底部、後部、開放表面から突出するように、本体１４内に配置される。
【００２０】
その点に関して、横方向前部転動ホイール８２および８６は、本体１４が所望の表面に沿って容易に転動することを可能にするよう、本体１４の各横方向内部側上において、本体１４の底部、前面から突出する。横方向前部転動ホイール８２および８６は、ファンネル５２の各横方向側上に位置決めされ得、たとえば各前部転動ホイール８２および８６を通って回転可能に延在するとともに本体１４のそれぞれの横方向内部側面内に回転可能に配置されるピンまたはロッド（図示せず）によって任意の好適な態様で本体１４内での回転のために支持され得る。後部および前部横方向転動ホイール７４、７８、８２および８６が本体１４の内部に配置された状態で、本体１４は、本体１４が表面に沿って移動されると、容易に側壁または他の対象に対して位置決めされ得る。
【００２１】
横方向後方転動ホイール７４および７８の間に配置される中間テープ適用部分７０は、表面にケーブルを固定するために束ねられたケーブルおよび表面にテープおよび圧力を適用するように構成される。その点に関して、中間テープ適用部分７０は、ケーブルおよび表面の両方に沿って転動する際に、ケーブルおよび表面の両方に圧力を加えるのに十分柔軟である。より具体的には、中間テープ適用部分７０は、ケーブルに圧力を加えるために、中間部分において、半径方向に変形、圧縮などする。中間テープ適用部分７０はさらに、ケーブルの各側上の表面に圧力を加えるとともに表面外形に対応するよう、横方向部分において半径方向に変形、圧縮などする。中間および横方向部分は、ケーブルおよび任意の平坦でない表面に連続的かつ等しく圧力を加えるよう、必要に応じて変形し得る。その点に関して、テープは、中間テープ適用部分７０とケーブル／表面との間に配置された状態で、中間テープ適用部分７０がケーブルに沿って転動されると、ケーブルおよび表面の両方に接着される。
【００２２】
中間テープ適用部分７０の圧縮に対応するために、横方向後方転動ホイール７４および７８は、中間テープ適用部分７０より直径が十分に小さい。これにより、中間テープ適用部分７０がケーブル／表面に圧力を加えるために圧縮すると、横方向後方転動ホイール７４および７８は、本体１４が表面に沿って転動することを可能にするよう表面に係合する。しかしながら、その代りに、横方向後方転動ホイール７４および７８が除去され、本体１４が単に中間テープ適用部分７０により表面に沿って転動してもよいということが認識されるべきである。
【００２３】
中間テープ適用部分７０は、ケーブルおよび表面の両方に十分に圧力を加えるのに好適な任意の材料から形成され得る。たとえば、中間テープ適用部分７０は、フォーム、ゴムまたは別の好適な材料から形成され得る。その代りに、中間テープ適用部分７０は、ケーブルを受け入れるための中心半径方向溝と、表面に係合するための溝の各側上の横方向部分とを有するよう実質的に剛体であってもよいということが認識されるべきである。当該溝はケーブルに圧力を加えるために十分な深さの溝であり、横方向部分は表面への圧力を維持する。したがって、束ねられたケーブルおよび表面に同時に圧力を加えるのに好適な任意の構成が使用され得るということが認識されるべきである。
【００２４】
上に示されるように、テープは、中間テープ適用部分７０が同時にケーブルおよび表面の両方にテープを適用し得るように、中間テープ適用部分７０とケーブル／表面との間に供給される。テープは、テープアプリケータアセンブリ１０内に固定されるテープアセンブリ１２から供給される。
【００２５】
図５〜図７を参照して、テープアセンブリ１２の部分と、テープアプリケータアセンブリ１０内にテープアセンブリ１２を固定するための構造とをここで詳細に記載する。テープアセンブリ１２は、コア９４に巻回されるか、または、そうでなければコア９４上に円周方向に位置決めされるテープロール９０を含む。コア９４は、実質的に円筒形であり、テープロール９０の幅に対応するコア軸方向長を規定する。コア９４は、２インチ、３インチなどといった、さまざまなサイズのテープロールに対応する任意の好適なコア軸方向長であり得る。コア９４はさらに、コア軸方向長に沿って延在する内部筒状開口部を規定する。この中空の筒状開口部は、ハブ９８を受け入れるようにサイズ決めおよび構成されるコア内径を有しており、ハブ９８は、テープアプリケータ１０内にテープアセンブリ１２を固定するよう、本体１４のテープ受入キャビティ３６内に除去可能に固定可能である。
【００２６】
コア９４のように、ハブ９８は、形状が円筒形であり、外部円筒状本体部分１２０と内部円筒状本体部分１２２との間を延在し、中心軸方向貫通孔１１８が内部円筒状本体部分１２２を通って軸方向に延在するウェブアセンブリ１１６によって規定される。ウェブアセンブリ１１６はハブ９８のコストおよび重量を減少させるが、ハブ９８は、その代りに、外部円筒状本体部分１２０と内部円筒状本体部分１２２との間に延在する中実体によって規定されてもよいということが認識されるべきである。
【００２７】
ハブ９８は、コア９４の内径と実質的に等しい外径を規定する。これにより、コア９４は、除去可能でありながら確実に、テープアプリケータアセンブリ１０内での使用のためにハブ９８上に配置され得る。９８は、コア９４内に除去可能に受け入れられるようにサイズ決めされるハブ軸方向長を規定する。ハブ９８は、さまざまなサイズのコア９４を受け入れるために任意の好適な軸方向長を有し得ると同時に、本体１４のテープ受入キャビティ３６内に受け入れられるようにサイズ決めおよび構成される。
【００２８】
ハブ９８上にコア９４を固定およびセンタリングするために、コアセンタリングおよびロッキングアセンブリ１００がコア９４とハブ９８との間に規定される。任意の好適なセンタリングおよびロッキングアセンブリが使用されてもよいが、示される実施形態においては、コアセンタリングおよびロッキングアセンブリ１００は、突出部またはこぶ部１０２のような、ハブ９８の外表面上に規定される第１のロッキング機構を含んでおり、当該第１のロッキング機構は、ハブ９８上にコア９４を固定するよう、環状溝１０６のような、コア９４の内表面上に規定される第２のロッキング機構内に受け入れ可能である。その代りに、こぶ部１０２がハブ９８上に規定されてもよく、環状溝１０６がコア９４上に規定されてもよいということが認識されるべきである。
【００２９】
こぶ部１０２および環状溝１０６は、こぶ部１０２が環状溝１０６内に受け入れられるとコア９４が自動的にハブ９８上において軸方向にセンタリングされるように、ハブ９８およびコア９４上にそれぞれ位置決めされる。言いかえれば、こぶ部１０２は、ハブ９８上で軸方向において実質的にセンタリングされ、環状溝１０６は、コア９４上で軸方向において実質的にセンタリングされる。これにより、コア９４は、こぶ部１０２が環状溝１０６内に受け入れられると、自動的にハブ９８上において軸方向にセンタリングされることになる。溝１０６がコア９４上で軸方向においてセンタリングされることにより、その軸方向長（すなわち軸方向長が１インチ、軸方向長が２インチ、軸方向長が３インチなど）にかかわらず、コア９４は自動的にハブ９８上においてセンタリングされることになるということが認識されるべきである。
【００３０】
テープアセンブリ１２はさらに、ハブロッキングアセンブリ１１０を通じてハブ９８上に固定される。ハブロッキングアセンブリ１１０は、本体１４内に固定されるとともにテープ受入キャビティ３６内に延在するシャフト１３０によって規定される。シャフト１３０は、本体１４の一つの側から上方向に延在するアンカー突出部１３８内に固定される第１の端部にて規定されるアンカー１３４を含む。シャフト１３０は、シャフト１３０が本体１４の底面と実質的に平行であるように、アンカー突出部１３８に対して実質的に横方向にテープ受入キャビティ３６へと延在する。
【００３１】
シャフト１３０がこのようにテープ受入キャビティ３６に延在するので、ハブ９８は、テープアプリケータアセンブリ１０内に所望のテープロール９０を固定するために、除去可能かつ回転可能にシャフト１３０上に固定され得る。ハブ９８は、シャフト１３０が中心貫通孔１１８を通過することにより、除去可能および回転可能にシャフト１３０上に固定され得る。シャフト１３０上に受け入れられると、ハブ９８は、テープの供給のために、シャフト１３０の中心長手方向軸の周りを回転可能である。
【００３２】
ハブ９８の回転に対応するために、ベアリングサブアセンブリ１１４がシャフト１３０とハブ９８との間で規定される。任意の好適なベアリングサブアセンブリが使用されてもよいが、ベアリングサブアセンブリ１１４は、シャフト１３０とハブ９８の内部円筒状本体部分１２２との間においてシャフト１３０の各端部に配置される第１および第２のフランジ付ブッシング１４４および１４８を含む。その点に関して、第１および第２のフランジ付ブッシング１４４および１４８を受け入れるために、シャフト１３０の外表面と内部筒状体部分１２２の内表面との間に円筒状のギャップが規定される。第１および第２のフランジ付ブッシング１４４および１４８は、ブッシング１４４，１４８およびハブ９８がより容易な組み付けおよび分解のために組み付けられたユニットであるように、ハブ９８の中心貫通孔１１８内に固定され得る。
【００３３】
ハブロックアセンブリ１１０はさらに、シャフト１３０上に選択的にハブ９８をロックするために構成される締結サブアセンブリ１５２を含む。締結サブアセンブリ１５２は、シャフト１３０の第２の端部（アンカー１３４と反対側）において、ねじ山が設けられた開口部（図示せず）内にねじ止め可能に受け入れられることが可能であるボルトのような締結具１５６を含み得る。締結具のヘッドの近くにおいて、ノブ１６０が、締結具のねじ山が設けられた端部がノブ１６０から突出するように、締結具１５６上に一体的に形成されるか、または、そうでなければ締結具１５６上に固定される。ノブ１６０は、締結具１５６にトルクを適用し締結具１５６のねじ山が設けられた端部をシャフト１３０内に固定するためにユーザによって好適に把持可能である。ノブ１６０がハブ９８に選択的に係合されるとともにハブ９８に対して締められることを可能にするために、ワッシャ１６４がノブ１６０とハブ９８との間に配置される。ハブ９８に対してノブ１６０を締めることによって、ハブ９８がシャフト１３０上で回転し得る容易性が調節され得る。
【００３４】
図７を参照して、テープロール９０を有するテープアセンブリ１２の例示的な実施形態をここでより詳細に記載する。テープロール９０は、コア９４の周りに巻回されるテープ１６４の細長い片によって規定される。テープ１６４は、外表面１６８と、その反対側の内表面１７２とを含む。感圧性接着剤１７６が、内表面１７２上に配置され、ロール９０上に構成されると、除去可能に外表面１６８に固定される。
【００３５】
感圧性接着剤１７６は、テープ１６４の内表面１７２上においてテープの中心長手方向軸に沿って延在する中間接着部分１８０を含む。中間接着部分１８０は、床または壁のような所望の表面に除去可能に接着されるのに十分に粘着性がある第１の横方向接着部分１８４と第２の横方向接着部分１８８との間に配置される。
【００３６】
中間接着部分１８０は、表面Ｓにテープで留められる束ねられたケーブルＣに除去可能に接着するように構成される。その点に関して、中間接着部分１８０は、テープアプリケータアセンブリ１０を通過する位置合わせされ束ねられたケーブルをカバーおよび係合するのに十分に広い。中間接着部分１８０の幅は、異なるサイズのケーブル束に対応するために、異なるテープロール上で変動し得る。
【００３７】
さらに、中間接着部分１８０は、束ねられたケーブルを解放可能に係合するために、第１および第２の横方向接着部分１８４および１８８よりも粘着性が小さい。中間接着部分１８０は、実質的に全中間接着部分１８０をカバーするあまり粘着性のない接着剤によって規定され得る。代替例において、中間接着部分１８０は、全体としてあまり粘着性がないエリアを作り出す接着コーティングのパターン（たとえば長手方向または水平方向のストライプ、ドットなど）によって規定され得る。したがって、あまり粘着性がない中間接着部分１８０が任意の好適な態様で規定されてもよいということが認識されるべきである。
【００３８】
上に示されるように、典型的なガッファテープは、テープが所定の量の力で手動で剥がされるまで表面に敷設ケーブルを固定するのに十分に強い、テープの全内表面をカバーする感圧性接着剤を含む。接着剤は、客足などによって容易に除去されることなく安全に所望の表面に接着するために十分に強い必要がある。しかしながら、この強い接着剤によって、テープは、ケーブルの周りに巻き付くか、または、ケーブルの間で折り重なり、除去プロセスの間にテープがテープ自身に張り付き得る。さらに、しばしばケーブルが「ガッファテープで留められる（gaffed）」場合、残留粘着剤がケーブル上に蓄積し、ケーブルからテープを除去することがより困難になる。
【００３９】
粘着性が減少したチャンネルを規定する中間接着部分１８０によって、テープ１６４は、表面から引っ張り上げられると、ケーブルから容易に除去され得る。中間接着部分１８０が少なくとも幾分粘着性がある（たとえば半乾燥チャンネル）であれば、テープ１６４は、ケーブルに張り付き得るとともに、表面へテープで留められる際にケーブルの位置合わせおよび真っ直ぐさを維持するのを支援する。たとえば、中間接着部分１８０は、第１の横方向接着部分１８４および第２の横方向接着部分１８８の粘着性の約１０％〜３０％の間であり得る。しかしながら、その代りに、中間接着部分１８０は接着剤を有さない（たとえば乾燥したチャンネル）か、または、所望の場合、３０％より大きい粘着性を有し得るということが認識されるべきである。言いかえれば、中間接着部分１８０は、解放可能にケーブルを係合するためにあまり粘着性のない中間接着部分１８０を規定するよう、第１の横方向接着部分１８４および第２の横方向接着部分１８８の粘着性の０％〜９９％の間であり得る。
【００４０】
その代りに、テープロール９０はテープストリップ、シート、または、テープアプリケータアセンブリ１０とは別の使用のための別の構成として構成されてもよいということが認識されるべきである。さらに、テープアプリケータアセンブリ１０は粘着性が減少した中間接着部分１８０を有するテープアセンブリ１２との使用において図示および記載されているが、テープアプリケータアセンブリ１０はその代りに、任意の好適なテープと共に使用されてもよい。たとえば、テープアプリケータアセンブリ１０が、床にケーブルをテープで留めるのではなく、床に境界線をマークするために使用されている場合、内表面に任意の好適な感圧性接着剤を有するテープが使用されてもよい。したがって、本願明細書において提供される説明および図は、特許請求される主題の範囲の限定と見なされるべきでない。
【００４１】
図５を再び参照して、表面にケーブルをテープで留めるためのテープアプリケータアセンブリ１０の動作をここで提供する。テープアプリケータアセンブリ１０を使用する前に、テープの適切な幅（すなわちその軸方向長）が意図される用途について決定され得る。たとえば、表面へ２〜３つのケーブルをテープで留める必要がある場合、たとえば幅が２〜３インチであり、かつ、十分に広く粘着性のある中間接着部分１８０を有するテープロールが使用され得る。代替例において、テープアプリケータアセンブリ１０が単に表面上に境界線をマークするために使用されている場合、その代りに、たとえば幅が１インチのみであり中間接着部分を有さないテープロールが使用されてもよい。したがって、意図される用途に依存して、好ましいテープロール９０が、テープアプリケータアセンブリ１０内に設置されるか、または、テープアプリケータアセンブリ１０内に既に設置されているテープロール９０と取り換えられ得る。
【００４２】
テープロール９０は、コアセンタリングおよびロッキングアセンブリ１００によってハブ９８上にコア９４をセンタリングおよびロッキングすることにより、テープアプリケータアセンブリ１０内に設置される。より具体的には、コア９４は、こぶ部１０２が環状溝１０６内に受け入れられるまでハブ９８上に摺動される。こぶ部１０２が環状溝１０６内に受け入れられると、コア９４がハブ９８に適切に位置決めされていることを示す「スナップ嵌合」の触覚的感覚をユーザが感じることになるということが認識され得る。適切な組み付けを支援するよう、マーキング、インストラクションなどが、本体１４、コア９４および／またはハブ９８の外側上に提供され得る。
【００４３】
ハブ９８上にコア９４が組み付けられると、ハブ９８は、ハブロッキングアセンブリ１１０を通じて本体１４内に固定され得る。より具体的には、ハブ９８は、ハブ９８の中心貫通孔１１８を通るようシャフト１３０を通過させることによって、シャフト１３０上に固定される。その後、締結具１５６は、テープアプリケータアセンブリ１０内のテープロール９０の回転のためにシャフト１３０上にハブ９８を固定するよう、シャフト１３０内に固定される。締結具１５６は、ワッシャ１６４に対するノブ１６０の張力を増加または減少させるよう、締められるか、または、緩められ得る。ノブ１６０からの張力が増加すると、テープロール９０は、あまり容易にかつ早くほどけない。したがって、ノブ１６０からの張力は所望のように調節され得るということが認識され得る。
【００４４】
ひとたびコア９４がテープアプリケータアセンブリ１０内に固定されると、テープロール９０は、供給のためにテープ１６４を位置決めするよう部分的にほどかれ得る。代替例において、テープロール９０は、ハブ９８上にコア９４を固定する前に部分的にほどかれ得る。テープ１６４は、本体１４の底部、内部、開放表面から後部ホイールアセンブリ６６を通って下方向にテープロール９０から引っ張られる。テープ１６４の端部は、敷設ケーブルＲの第１の端部を規定するために表面Ｓおよび／またはケーブルＣに固定され得る。
【００４５】
テープ引っ張り器１９４は、テープ１６４がロール９０から供給され得るとテープ１６４に張力を維持するために、本体１４の内部においてテープロール９０と後部ホイールアセンブリ６６との間に配置され得る。テープ引っ張り器１９４は、好適な態様で本体１４の内側内での回転のために支持される好適なローラまたは他のデバイスであってもよい。テープ１６４に効果的に張力を維持するために、テープ引っ張り器１９４は、テープロール９０と後部ホイールアセンブリ６６との間に規定される接線から下方向に位置決めされる。これにより、テープ引っ張り器１９４は、供給される間に実質的に一定の張力を維持するために、テープ１６４に対して下方への力を与える。テープ１６４における張力により、後部ホイールアセンブリ６６は、表面／ケーブル上でよりよいテープ位置合わせを維持し、任意のしわ、ギャップなどを低減する。
【００４６】
中間テープ適用部分７０は、テープ１６４が後部ホイールアセンブリ６６の上を通過すると、ケーブルＣおよび表面Ｓの両方に圧力を加えるために部分的に圧縮する。より具体的には、ケーブルＣがファンネル５２を通過した後で中心に位置合わせされ（かつ、板ばね６０によってきつく（taught）保持され）ると、中間テープ適用部分７０の中心部分が表面Ｓに対してケーブルＣの高さおよび形状に対応するように圧縮する。さらに、中間テープ適用部分７０の横方向縁部は、テープ１６４の下にケーブル（Ｃ）をシールするためにケーブルＣの各側の表面Ｓに圧力を加えることよう圧縮する。
【００４７】
テープアプリケータアセンブリ１０およびテープアセンブリ１２は、テープをケーブルに不可逆的に貼り付けることなく、または、ケーブル上に残留物を残すことなく、位置合わせされ、束ねられ、きつくされた（taught）ケーブルを表面に固定する利点を提供するということが上記から認識され得る。
【００４８】
図８Ａおよび図８Ｂを参照して、テープアプリケータアセンブリ２１０の第１の代替的な実施形態が示される。テープアプリケータアセンブリ２１０は、ここで述べられる相違点を除いて、上で記載されたテープアプリケータ１０と実質的に同一である。
【００４９】
その点に関して、テープアプリケータアセンブリ２１０は、本体２１４の底部に沿って本体２１４の前部から延在するファンネル２５２を有するケーブル位置合せアセンブリを含む。ファンネル２５２は、本体２１４が表面に沿って移動する際に１つ以上のケーブルを受け入れるように構成される、本体２１４の前部にある前部ケーブル開口部２４８と、後部ケーブル開口部２５４とを規定する。図８Ａおよび図８Ｂにおいて分かり得るように、後部ケーブル開口部２５４は、敷設ケーブルＲにおいて１つ以上のケーブルＣを束ねて位置合わせし、ケーブルＣの敷設Ｒを表面へテープで留めるように構成される。さらに、後部ケーブル開口部２５４は、ケーブルおよびケーブルの束のさまざまなサイズに対応するよう、モジュラーファンネル／ホイール調節アセンブリ２５６を通じてサイズおよび形状が調節され得る。
【００５０】
モジュラーファンネル／ホイール調節アセンブリ２５６は、本体２１４の下側内で除去可能に受け入れ可能である第１の調節可能なファンネルピース２５７によって規定される。第１の調節可能なファンネルピース２５７は、ファンネル２５２の後ろに配置される後部ファンネル部分２５８と、後部ファンネル部分２５８から後方に延在するホイール部分２５３とによって部分的に規定されており、後部ファンネル部分２５８は、所定のサイズの１つ以上のケーブルを位置合わせし、束ねて、表面にテープで留めるために、実質的にサイズがホイール部分２５３と対応する。示される実施形態において、第１の調節可能なファンネルピース２５７の後部ファンネル部分２５８およびホイール部分２５３は、第１の所定サイズのケーブルＣを位置合わせして表面Ｓにテープで留めるよう、対応してサイズ決めおよび形状決めされる。
【００５１】
後部ファンネル部分２５８は、ファンネル２５２の後部分と、ケーブルＣを位置合わせするための後部ケーブル開口部２５４とを規定する。後部ファンネル部分２５８は、本体２１４内に受け入れられると、前部ケーブル開口部２４８と後部ケーブル開口部２５４との間を延在するとともに前部ケーブル開口部２４８および後部ケーブル開口部２５４と連通する細長い開口部２６２を規定する。細長い開口部２６２は、所定のサイズの１つ以上のケーブルを束ねて位置合わせするための好適な断面形状、幅および／または深さの開口部である。示された実施形態において、細長い開口部２６２は、第１の所定のサイズのケーブルＣを位置合わせするために好適な断面形状、幅および深さの開口部である。第２の断面形状とより広くおよび／または深い細長い開口部２６２とを有する第２の調節ピースが、より大きなケーブルまたはケーブルのより大きな束に対応するために使用され得る一方、第３の断面形状とより狭いおよび／または浅い細長い開口部２６２とを有する第３の調節ピースが、より小さなケーブルまたはケーブルのより小さな束に対応するために使用され得る。細長い開口部２６２の形状およびサイズが１つ以上のケーブルの形状およびサイズに実質的に対応するため、ケーブルは、テープ適用アセンブリによってテープで留められる前に位置合わせされ束ねられることになる。
【００５２】
テープ適用アセンブリは、第１の調節可能なファンネルピース２５７のホイール部分２５３によって部分的に規定され、ホイール部分２５３は、表面に所定サイズの１つ以上のケーブルをテープで留めるために好適にサイズ決めされる。ホイール部分２５３は、後部ホイールアセンブリ６６と同様に、テープ２６８および１つ以上のケーブルに圧力を加えるために、本体２１４内に後部ホイールアセンブリ２６６を回転可能に固定するように構成される。その点に関して、ホイール部分２５３は、後部ファンネル部分２５８から本体２１４の後部に向かって延在する第１および第２のホイールアセンブリアーム２６０および２６１を含む。ホイールアセンブリアーム２６０および２６１は、後部ホイールアセンブリ２６６を回転可能に受け入れるように構成される。
【００５３】
後部ホイールアセンブリ２６６は、横方向後部転動ホイール２７４と横方向後部転動ホイール２７８との間に配置される中間テープ適用部分２７０を含んでおり、中間テープ適用部分２７０は、表面および１つ以上のケーブルにテープ２６８を固定するために表面および１つ以上のケーブルに圧力を加えるのに十分に柔軟である。図８Ａおよび図８Ｂにおいて分かり得るように、中間テープ適用部分２７０は、第１の所定のサイズのケーブルＣとケーブルＣの各側上の表面Ｓの部分とに圧力を加えるには十分に広い。さらに、中間テープ適用部分２７０の幅は、異なる調節可能なファンネルピース２５７を使用することにより調節され得る。
【００５４】
より具体的には、（第１の所定サイズおよび形状の細長い開口部２６２および中間テープ適用部分２７０を有する）第１の調節可能なファンネルピース２５７は、除去され、（第２の所定サイズの細長い開口部２６２および中間テープ適用部分２７０を有する）第２の調節可能なファンネルピース２５７と置換され得る。したがって、ケーブルおよび／またはケーブルの束のさまざまなサイズに対応するために、調節可能なファンネルピース２５７は、必要に応じて除去および置換され得、これにより、ファンネル２５２または後部ホイールアセンブリ２６６の個々の調節を回避する。
【００５５】
ファンネル／ホイール調節アセンブリ２５６は、任意の好適な態様で本体２１４内に除去可能に固定され得る。示される実施形態において、スナップ嵌合技術（図示せず）が使用される。しかしながら、任意の好適な技術が使用されてもよいことが認識されるべきである。
【００５６】
図８Ｂを参照して、テープ適用アセンブリはさらに、ケーブルＣおよび表面Ｓに接着されるためにケーブルを形状決めおよび適合するように構成される、テープアセンブリ２１２と後部ホイールアセンブリ２６６との間に位置決めされるテープガイド２８０を含み得る。テープガイド２６２は、本体２１４内に受け入れられるピン２８４上での回転のために支持されるテープシェーパ２８２を含む。テープシェーパ２８２は、互いに対向するように配置されるテーパ端部を各々が有する第１の円錐台形状部分２８６および第２の円錐台形状部分２８８によって規定される。
【００５７】
テープ２６８の非接着側は、後部ホイールアセンブリ２６６に係合する前にテープガイド２６２の下を通過し得る。テープガイド２６２は、テープ２６８における如何なる緩みも低減するようテープ２６８に張力を与え、テープが折曲がったり、ねじ曲がったりすることなどを防止するのを支援する。その点に関して、テープシェーパ２８２は、フォームまたは任意の好適な材料から形成され得る。フォームのような圧縮可能または変形可能な材料から形成される場合、テープシェーパ２８２が、テープが適用されている際に、テープにおいて張力を維持するのを支援するということが認識され得る。しかしながら、テープシェーパ２８２が任意の好適な材料から形成されてもよいことが認識されるべきである。
【００５８】
テープガイド２６２はさらに、ケーブルＣ上に最適にテープ２６８を置きケーブルＣにテープ２６８を接着するために、テープ２６８を形状決めする。より具体的には、テープガイド２６２は、ケーブルＣがテープアプリケータアセンブリ３１０を通って引き出されると接着側上のＶの頂点が、ケーブルＣの頂部と係合されるように、テープ２６８を逆Ｖ字形状に形状決めする。これにより、テープ２６８は、後部ホイールアセンブリ２６６によって圧力が加えられることなくケーブルＣに確実かつスムーズに接着される。さらに、テープ２６８は、テープ２６８の実質的に中心長手方向軸上で、または、テープの中間接着部分（存在する場合）に沿ってケーブルＣに接着される。これにより、均一量のテープ２６８が、実質的に真っすぐで固定された敷設ケーブルＲを規定するようケーブルＣの各側上で表面Ｓに接着される。
【００５９】
図９を参照して、テープアプリケータアセンブリ３１０の第２の代替的な実施形態が示される。テープアプリケータアセンブリ３１０は上に記載されたテープアプリケータアセンブリ１０および２１０と同様であるが、テープアプリケータアセンブリ３１０はより広いテープアセンブリ３１２を受け入れるのに好適であり、また、当該アセンブリは同様に、敷設ケーブルＲを規定するよう、より大きなケーブルまたはケーブルＣの束を位置合わせし、束ねて、表面Ｓにテープで留めることに好適である。
【００６０】
より大きなテープアセンブリ３１２に対応するために、テープアプリケータアセンブリ３１０の本体３１４は、本体３１４の頂部部分内に規定され下方向に本体３１４へと延在するテープ受入キャビティ３３２を含む。テープアセンブリ３１２は、テープアセンブリ３１２を本体３１４内のテープ受入キャビティ３３２に下ろすことによって、テープ受入キャビティ３３２に除去可能に挿入される。本体３１４の第１および第２の側部分は、受け入れられると、テープアセンブリ３１２の各側に配置される。第１および第２のハブロッキングアセンブリは、テープアセンブリ３１２を除去可能に固定するために本体３１４の各側上に配置される。第１および第２のハブロッキングアセンブリの各々は、実質的に同一であるので、第１のハブロッキングアセンブリ３４６のみが記載および説明される。
【００６１】
第１のハブロッキングアセンブリ３４６は、本体３１４の第１の側部分の上端部に規定されるＵ字形状のシャフト受入部分３５０を含んでおり、シャフト受入部分３５０は、ハブ３１８を通って中心に延在するハブシャフト３５２の第１の端部を除去可能に受け入れるように構成される。シャフト３５２は、テープアセンブリ３１２がシャフト３５２によって規定される軸の周りを回転し得るように、シャフト受入部分３５０内に回転可能に受け入れ可能である。ロッキングピン３５４は、シャフト受入部分３５０内でシャフト３５２を除去可能に固定するよう、シャフト受入部分３５０を通過し得る。本体３１４内において除去可能に回転可能にシャフト３５２を固定するために、任意の好適なロッキングピンまたは他のロッキング機構が使用されてもよい。
【００６２】
テープアプリケータアセンブリ３１０はさらに、本体３１４上に規定されるか、または、そうでなければ本体３１４上に形成される、テープアプリケータアセンブリ３１０を輸送、保持、および移動するための前部ハンドル３２２および後部ハンドル３２４を含む。前部ハンドル３２２および後部ハンドル３２４は、より小さなテープアセンブリより広く重いテープアセンブリ３１２が本体３１４内に受け入れられると、ユーザがテープアプリケータアセンブリ３１０を移動させるのを支援する。ハンドルアセンブリ（図示せず）はさらに、表面Ｓに沿ってテープアプリケータアセンブリ３１０を移動させるために、本体３１４に固定され得る。上に記載されたハンドルアセンブリ２２のような任意の好適なハンドルアセンブリが使用されてもよい。好ましくは、ハンドルアセンブリは、表面Ｓ上においてケーブルＣに沿って本体３１４を前進させるために本体３１４の後部部分から延在する。
【００６３】
図１０〜図１２を参照して、テープアプリケータアセンブリ３１０は、表面にテープで留められるべき１つ以上のケーブルのさまざまなサイズ、形状および束に対応するために構成されるテープ適用アセンブリおよびケーブル位置合せアセンブリを含む。テープ適用アセンブリは、第１の後部ホイールセット３６８および第２の後部ホイールセット３７０と、第１の後部ホイールセット３６８および第２の後部ホイールセット３７０の位置を調節するための第１の後部ホイール調節アセンブリ３７８および第２の後部ホイール調節アセンブリ３８０とを有する調節可能な後部ホイールアセンブリ３６６によって部分的に規定される。第１および第２のホイールセット３６８および３７０と、第１および第２の後部ホイール調節アセンブリ３７８および３８０とはそれぞれ、実質的に同一であるので、第１のホイールセット３６８および第１の後部ホイール調節アセンブリ３７８のみが以下に詳細に論じられる。
【００６４】
第１の後部ホイールセット３６８は、ホイールピン３８２上での回転のために支持される内側ホイール３７４および外側ホイール３７６を含む。ホイールピン３８２は、摺動可能に本体３１４内に配置されるホイールスライダブラケット３８４から延在する。ホイールスライダブラケット３８４は、本体３１４の横方向側同士の間を延在するロッド３８６に摺動可能に取り付けられる。第１の後部ホイールセット３６８は、第１の後部ホイールセット３６８の位置を横方向に調節するよう、ホイールスライダブラケット３８４を通るよう本体３１４内において横方向に摺動し得る。
【００６５】
その点に関して、ノブ３９４は、ホイールスライダブラケット３８４を手動で前後に移動させるために使用され得る。ノブ３９４は、本体３１４の後部におけるスロット３９６を通って延在するノブアーム３９２の端部上にて固定される。数字または指標などによって識別される複数の位置３９８は、ユーザが第１の後部ホイールセット３６８を本体３１４の横方向側から所望の距離に位置決めするのを支援するよう、スロット３９６の近くの本体３１４上で規定され得る。
【００６６】
図１３において分かり得るように、第１の後部ホイールセット３６８および第２の後部ホイールセット３７０は、第１の後部ホイール調節アセンブリ３７８および第２の後部ホイール調節アセンブリ３８０を通るよう各々に向かうようにまたは各々から離れるように動かされ得、これにより、より小さいまたはより大きなケーブルまたはケーブルの束に対応する。より具体的には、第１の後部ホイール調節アセンブリ３７８および第２の後部ホイール調節アセンブリ３８０は、さまざまなサイズのケーブルまたはケーブルの束に対応するために、第１の後部ホイールセット３６８と第２の後部ホイールセット３７０との間のギャップを増加または減少するよう使用され得る。これにより、テープアプリケータアセンブリ３１０は、ケーブルまたは束サイズに対応するようサイズが調節可能である。
【００６７】
示される実施形態において、第１の後部ホイールセット３６８および第２の後部ホイールセット３７０は、表面へ好適に３つのケーブルＣをテープで留めるよう互いに向かって移動される。第１の後部ホイールセット３６８および第２の後部ホイールセット３７０は、ケーブルＣの各側上のテープ３２０に係合し圧力を加えるよう、好適な量だけ互いに向かって移動される。これにより、テープは、安全でクリーンな敷設ケーブルＲを規定するよう表面へ確実に取り付けられる。その代りに、ケーブルＣにテープ３２０を取り付けるためにケーブルＣに好適な圧力を加えるために、第１の後部ホイールセット３６８および第２の後部ホイールセット３７０の各々の内側ホイールは変形可能であってもよいということが認識されるべきである。さらに、任意の好適な後部ホイール調節アセンブリが使用されてもよいことが認識されるべきである。たとえば、その代わりに、第１の後部ホイールセット調節アセンブリ３７８および第２の後部ホイールセット調節アセンブリ３８０は、自動的および／または同時に内方または外方に調節され得る。
【００６８】
テープ適用アセンブリはさらに、ケーブルＣ上への適用のために好適にテープを形状決めおよび適合するためのテープガイド４４０を含む。テープガイド４４０は、上に記載されたテープガイド２６２と実質的に同一である。その点に関して、テープガイド４４０は、テープアプリケータアセンブリ３１０を通って引き出される際に、接着側上のＶの頂点がケーブルＣの頂点に係合されるように、テープ３２０を逆Ｖ字形状に形状決めする。これにより、テープ３２０は、第１の後部ホイールセット調節アセンブリ３７８および第２の後部ホイールセット調節アセンブリ３８０がケーブルＣに圧力を加えなくても、確実かつスムーズにケーブルＣに接着される。さらに、テープ３２０は、実質的に均一な量のテープ３２０がケーブルＣのいずれかの側上にて表面Ｓに接着されるように、ケーブルＣ上において実質的にセンタリングされる。
【００６９】
図１１および図１３を参照して、ケーブル位置合せアセンブリは、テープ適用アセンブリによってテープで留められるべきさまざまなサイズおよび形状の１つ以上のケーブルを位置合わせして束ねるように構成されるファンネルアセンブリ４００を含む。ファンネルアセンブリ４００は、本体３１４の第１の内側に沿って延在する第１のファンネルガイド４０４と、第１のファンネルガイド４０４の反対に配置され本体３１４の第２の内側に沿って延在する第２のファンネルガイド４０６とによって規定されるファンネル４０２を含む。
【００７０】
第１のファンネルガイド４０４および第２のファンネルガイド４０６の前端部にて、前部ケーブル開口部３２８が規定され、ファンネル４０２を規定するための第１のファンネルガイド４０４および第２のファンネルガイド４０６の後端部にて後部ケーブル開口部３３０が規定される。そのため、テープアプリケータアセンブリ３１０がケーブルに向かって表面に沿って移動されると、表面上に存在する１つ以上のケーブルが、前部ケーブル開口部３２８においてテープアプリケータアセンブリ３１０に入り得る。図１３において分かり得るように、ケーブルＣは、後部ケーブル開口部３３０を通過すると、テープアプリケータアセンブリ３１０の前部ケーブル開口部３２８内に受け入れられ、束ねられ位置合わせされる。
【００７１】
ファンネルアセンブリ４００は、さまざまなサイズおよび形状の１つ以上のケーブルに対応するために後部ケーブル開口部３３０のサイズを調節するように構成される第１のファンネル調節アセンブリ４１２および第２のファンネル調節アセンブリ４１４を含む。第１のファンネル調節アセンブリ４１２および第２のファンネル調節アセンブリ４１４は実質的に同一であるので、第２のファンネル調節アセンブリ４１４のみが以下に詳細に記載される。
【００７２】
第２のファンネル調節アセンブリ４１４は、第２のファンネルガイド４０６と本体３１４との間において、第２のファンネルガイド４０６の後端部に固定またはそうでなければ当該後端部に形成される調節ブロック４１０を含む。調節ブロック４１０は、第１のファンネルガイド４０４に向かうようにまたは第１のファンネルガイド４０４から離れるように第２の調節ブロック４１０（したがって第２のファンネルガイド４０６の後端部）を移動させるよう、（締結具などによって規定される）旋回点４２０の周りを旋回する調節ブラケット４１８に固定される。
【００７３】
旋回４２０は、調節ブロック４１０、したがって、第２のファンネルガイド４０６の端部が、調節ブラケット４１８の端部によって規定される弧形の経路に沿って移動するように、第２のファンネルガイド４０６の中間点の実質的に近傍において規定される。その点に関して、第１のファンネルガイド４０４および第２のファンネルガイド４０６は、プラスチックまたは金属のような可撓性材料から好適に形成される。当該移動を支援するよう、調節ブラケット４１８の部分が締結具などを通じて、本体３１４に規定される旋回スロット４２２内に摺動可能に固定され得、旋回スロット４２２は弧形の経路に対して実質的に鏡面対称である。締結具は、ブラケット４１８の弧形の動きをサポートするのを支援するために旋回スロット４２２内で摺動し得る。
【００７４】
調節ブラケット４１８は、好適なノブアセンブリを通じてユーザによって操作され得る。ノブアセンブリは、調節ブラケット４１８から延在し本体３１４におけるスロット４３２を通って突出するノブアーム４２６の端部上において規定されるノブ４２８を含む。ノブ４２８は、第２のファンネルガイド４０６の位置を調節するために旋回４２０の周りを調節ブラケット４１８に旋回させるよう、ユーザによって操作され得る。
【００７５】
ノブ４２８によって操作される第２のファンネル調節アセンブリ４１４は、第１のファンネルガイド４０４に向かうようにまたは第１のファンネルガイド４０４から離れるように第２のファンネルガイド４０６の後端部を移動させる。その点に関して、より小さいまたはより大きなケーブルに対応するために、第１のファンネル調節アセンブリ４１２および第２のファンネル調節アセンブリ４１４は、後部ケーブル開口部３３０のサイズを増加または減少させるために使用され得る。言いかえれば、ファンネル４０２は、調節可能なテープ適用アセンブリによるテープ留めのために１つ以上のケーブルを適切に束ねて位置合わせするよう、後部ケーブル開口部３３０において好適にサイズ決めされ得る。図１３の実施形態において、テープ留めのために３つのケーブルを位置合わせして束ねるために後部ケーブル開口部３３０のサイズを減少するよう、第１のファンネル調節アセンブリ４１２および第２のファンネル調節アセンブリ４１４が使用される。
【００７６】
調節ブラケット４１８のさまざまな位置を示すために、スロット４３２の近傍において、複数の指標、参照番号などが本体３１４の外部に配置され得る。これにより、第１のファンネル調節アセンブリ４１２および第２のファンネル調節アセンブリ４１４の両方は、テープアプリケータアセンブリ３１０内において１つ以上のケーブルを中心に位置合わせするのを支援するために、同様の量だけ調節され得る。その代わりに、第１のファンネル調節アセンブリ４１４および第２のファンネル調節アセンブリ４１６は、同時および／または自動的にケーブルサイズに基づいて調節し得るということが認識されるべきである。
【００７７】
図１４を参照して、テープアプリケータアセンブリ５１０の第４の代替的な実施形態が示される。テープアプリケータアセンブリ５１０は、以下に提供される相違点を除いて、上に記載されたテープアプリケータアセンブリ３１０と実質的に同一である。テープアプリケータアセンブリ５１０は後部ケーブル開口部５３０のサイズを調節するのに好適である第１のファンネル調節アセンブリ５１２および第２のファンネル調節アセンブリ５１４を含んでおり、後部ケーブル開口部５３０は、第１のファンネルガイド５０４および第２のファンネルガイド５０６によって規定される。第１のファンネル調節アセンブリ５１２および第２のファンネル調節アセンブリ５１４は実質的に同一であるので、第１のファンネル調節アセンブリ５１２のみが詳細に記載される。
【００７８】
第１のファンネル調節アセンブリ５１２は、楕円形状部分５１８とノブ５２０との間を延在するピン５１９の軸の周りを移動可能である楕円形状部分５１８を含む。ノブ５２０は、形状が実質的に円形であり、テープアプリケータアセンブリ５１０の本体５１４においてスロット５２２を通って突出するようにサイズ決めされる。このように、ユーザは、ピン５１９の軸の周りを楕円形状部分５１８に同様に移動させるように、ピン５１９の軸の周りをノブ５２０を移動させ得る。
【００７９】
楕円形状部分５１８は、後部ケーブル開口部５３０のサイズの調節をするために第１のファンネルガイド５０４の後端部と係合および係合解除するように選択的に移動するよう、ピン５１９の軸の周りを移動する。より具体的には、楕円形状部分５１８が第１の位置へとピン５１９の軸の周りを移動すると、楕円形状部分５１８の細長端部は、第１のファンネルガイド５０４の後端部と係合する。楕円形状部分５１８の細長端部が第１の位置において第１のファンネルガイド５０４の後端部に係合された状態で、第１のファンネルガイド５０４は第２のファンネルガイド５０６に向かって内方に移動され、後部ケーブル開口部５３０のサイズが減少する。
【００８０】
楕円形状部分５１８が第２の位置へとピン５１９の軸の周りを移動すると、楕円形状部分５１８の細長端部は、第１のファンネルガイド５０４の後端部から係合解除する。楕円形状部分５１８の細長端部が第２の位置において第１のファンネルガイド５０４の後端部と係合解除された状態で、第１のファンネルガイド５０４は第２のファンネルガイド５０６から離れるように外方向に移動され、後部ケーブル開口部５３０のサイズが増加する。したがって、第１のファンネル調節アセンブリ５１２および第２のファンネル調節アセンブリ５１４は、ケーブルのさまざまなサイズに対応するために後部ケーブル開口部５３０のサイズを増加または減少するよう使用され得る。
【００８１】
図１５を参照して、テープアプリケータアセンブリ６１０の第４の代替的な実施形態が示される。テープアプリケータアセンブリ６１０は、たとえば壁Ｗと床Ｆとの間といったような、第１および第２の実質的に横断方向の表面によって規定されるコーナーＸ内において、１つ以上のケーブルＣをテープで留めるように構成される。テープアプリケータアセンブリ６１０は壁Ｗおよび床Ｆによって規定されるコーナーＸ内において敷設ケーブルＲをテープで留めるものであると以下に記載されるが、テープアプリケータアセンブリ６１０は任意の好適なコーナー内において敷設ケーブルＲをテープで留めるために使用されてもよい。
【００８２】
テープアプリケータアセンブリ６１０は、図１〜図７を参照して上に記載されたコア／ハブロッキングアセンブリ１１０と同様に、コア／ハブロッキングアセンブリ６４６を通って本体６１４に除去可能に固定されるテープアセンブリ６１２を含む。しかしながら、テープアセンブリ６１２は、コーナーＸへテープ６２０を供給するためにある角度で本体６１４に除去可能に取り付けられる。
【００８３】
より具体的には、テープアセンブリ６１２は、本体６１４によって規定される角度付本体部分６３８に取り付けられており、テープアプリケータアセンブリ６１０がコーナーＸに位置決めされると、角度付本体部分６３８は床Ｆに対して実質的に１３５度（１３５°）の角度であり、壁Ｗに対して４５度（４５°）の角度である。これにより、テープ６２０は、テープアセンブリ６１２からコーナーＸの方向における角度で供給され、コーナーＸに沿って延在するケーブルに接着され得る。
【００８４】
テープは、テープアセンブリ６１２から本体６１４の前部コーナーに向かって供給され、コーナーＸ内においてテープ６２０に圧力を加えるために調節可能なホイールアセンブリ７１０が配置される。図１５〜図１８を参照して、調節可能なホイールアセンブリ７１０は、第１および第２の実質的に横断方向に配置されたホイール、すなわち、床係合ホイール７１２と壁係合ホイール７１４とによって規定される。コーナーＸ内に位置決めされると、床係合ホイール７１２は床Ｆに係合するよう位置決めされ、壁係合ホイール７１４は壁Ｗに係合するよう位置決めされる。
【００８５】
床係合ホイール７１２および壁係合ホイール７１４は、任意の好適な態様で本体６１４内での回転のために支持され得る。さらに、ホイールの１つ以上は、さまざまなサイズのケーブルおよび／またはケーブルの束に好適に係合してテープで留めるために適切な位置に調節可能であり得る。示される実施形態において、調節可能なホイールアセンブリ７１０の床係合ホイール７１２は、床係合ホイール７１２の横方向位置が壁係合ホイール７１４に対して調節され得るように、本体６１４内において摺動可能に取り付けられる。
【００８６】
床係合ホイール７１２は、本体６１４の部分から調節ブラケット７１６を通って延在するスライドレール７１８に摺動可能に固定され得る。調節ノブ７２０は、ユーザが手動で把握するとともにスライドレール７１８に沿って床係合ホイール７１２を摺動することを可能にするためにブラケット７１６から延在し得る。床係合ホイール７１２は、より小さなケーブルをテープで留めるためのコーナースペース（すなわち床係合ホイール７１２と壁係合ホイール７１４との間で規定されるコーナースペース）を減少させるよう壁係合ホイール７１４に向かって横方向に移動され得る。さらに、床係合ホイール７１２は、より大きなケーブルをテープで留めるためにコーナースペースを増加させるよう、壁係合ホイール７１４から横方向に移動され得る。
【００８７】
図１５に示される実施形態において、床係合ホイール７１２は、コーナーＸ内において４つのケーブルをテープで留めるためにコーナースペースを減少させるよう、壁係合ホイール７１４に向かって横方向に移動される。テープ６２０はそれぞれ、コーナーＸに配置されるケーブルＣ内において、床係合ホイール７１２および壁係合ホイール７１４と床Ｆおよび壁Ｗとの間に位置決めされる。床係合ホイール７１２は、テープ６２０に圧力を加え、床Ｆにテープ６２０を接着するとともに、壁係合ホイール７１４は、テープ６２０に圧力を加え、壁Ｗにテープ６２０を接着させる。
【００８８】
テープガイド７３０は、ケーブルＣ、床Ｆおよび壁Ｗへの適用のために、テープ６２０を形状決めおよび適合することを支援するために使用され得る。テープガイド２８０および４４０と同様に、テープガイド７３０はテープ６２０を実質的に逆Ｖ字形状に形状決めしており、Ｖの頂点がテープ６２０の底部接着側上にて規定される。テープ６２０の接着側上のＶの頂点は、テープ６２０の中心長手方向軸に実質的に沿ってコーナーＸにおいてケーブルＣ上に位置するように位置決めされる。
【００８９】
図１５〜図１８を参照して、テープガイド７３０は、本体６１４の部分に固定またはそうでなければ本体６１４の部分から延在する角度付コア７３２によって規定される。角度付コア７３２は、角度付本体部分６３８から延在し、実質的にテープアセンブリ６１２と調節可能なホイールアセンブリ７１０との間に位置する。角度付コア７３２は、テープアプリケータアセンブリ６１０がテープ留めのためにコーナーＸに位置決めされる（図１５を参照）と、角度付コア７３２の第１の部分が壁Ｗに向かって下方向および横方向に延在するように、実質的にＶ字形状である。角度付コア７３２の第２の部分は、テープアプリケータアセンブリ６１０がテープ留めのためにコーナーＸに位置決めされると、上方向に壁Ｗから離れるように延在する。
【００９０】
テーピングプロセスの間に、テープ６２０の片が、角度付コア７３２の下において、テープアセンブリ６１２から調節可能なホイールアセンブリ７１０に向かって下方向に引き出され得る。角度付コア７３２によって規定されるＶ字形状の頂点によって、テープ６２０にギザギザが付けられ、テープ６２０が実質的に逆Ｖ字形状に形状決めされる。これにより、テープ６２０の接着側上のＶの頂点は、コーナーＸにおいてケーブルＣ上に位置するように位置決めされる。
【００９１】
テープ６２０がテープガイド７３０に沿って移動するのを支援するために、第１のローラ７３４および第２のローラ７３６は、角度付コア７３２の第１および第２の部分上に配置され得る。第１のローラ７３４および第２のローラ７３６は、任意の好適な態様で、角度付コア７３２上での回転のために支持され得るか、または、そうでなければ移動可能に角度付コア７３２上に配置され得る。第１のローラ７３４および第２のローラ７３６は、フォームまたは任意の好適な材料から形成され得る。フォームのような圧縮可能または変形可能な材料から形成される場合、張力が適用されている際に第１のローラ７３４および第２のローラ７３６がテープにおいて張力を維持するのを支援するということが認識され得る。しかしながら、テープガイド７３０は任意の好適な材料から形成されてもよいか、または、その代わりに、材料の好適な片から形成されてもよいということが認識されるべきである。
【００９２】
角度付コア７３２の第１および第２の部分間に規定される角度は、好適にテープ６２０の接着側を形状決めし、コーナーＸにおいてケーブルＣと係合するために任意の好適な角度であり得るということが認識されるべきである。示される実施形態において、角度付コア７３２の第１および第２の部分間で規定される角度は鋭角である。しかしながら、任意の好適な角度がケーブルＣとテープ６２０を適切に係合するために使用されてもよいということが認識されるべきである。
【００９３】
テープガイド７３０は、ケーブルＣ上にテープ６２０をガイドするのを支援するとともに、調節可能なホイールアセンブリ７１０は、コーナーＸ内において敷設ケーブルＲを固定するよう壁Ｗおよび床Ｆにテープ６２０を係合する。さらに、調節可能なホイールアセンブリ７１０は、さまざまなサイズおよび形状のケーブルに対応するよう、床係合ホイール７１２の位置を調節するために使用されてもよい。
【００９４】
ケーブル位置合せアセンブリは、コーナーＸ内でのテープ留めのために、入ってくる１つ以上のケーブルを束ねて位置合わせするために、調節可能なホイールアセンブリ７１０およびテープガイド７３０の前方に規定される。ケーブル位置合せアセンブリは、本体６１４の前部から本体６１４の後部へ延在するファンネル６８２を有するファンネルアセンブリ６６６によって規定される。
【００９５】
図１６〜図１８を参照して、ファンネル６８２は、本体６１４の部分によって部分的に規定される。より具体的には、本体６１４は、床Ｆと実質的に平行な角度で角度付本体部分６３８から延在するファンネル本体部分６６８を含む。図１５において分かり得るように、ファンネル本体部分６６８の横方向縁部は、コーナーＸに対してテープアプリケーションアセンブリ６１０を好適に位置決めするよう、壁Ｗと係合され得る。これにより、壁Ｗは、ファンネル６８２の第１の部分を実質的に規定する。
【００９６】
ファンネル６８２の第２の対向部分は、ファンネル本体部分６６８の下に固定されファンネル本体部分６６８に沿って延在するファンネルガイド６７２によって規定される。ファンネル本体部分６６８の横方向縁部が壁Ｗに対して配置されると、前部ケーブル開口部６８６が、壁Ｗとファンネルガイド６７２との間においてファンネル本体部分６６８の前部に規定される。後部ケーブル開口部６８８は、ファンネルガイド６７２と壁Ｗとの間においてファンネル本体部分６６８の後部に規定される。したがって、ファンネル本体部分６６８が壁Ｗに沿って移動すると、ファンネルはファンネルガイド６７２と壁Ｗとの間に本質的に規定される。
【００９７】
ファンネルアセンブリ６６６は、さまざまなサイズおよび形状のケーブルに対応するようサイズが調節可能である。その点に関して、ファンネルアセンブリ６６６は、後部ケーブル開口部６８８のサイズを調節するように構成されるファンネル調節アセンブリ６７０を含む。より具体的には、ファンネル調節アセンブリ６７０は、後部ケーブル開口部６８８のサイズを減少または増加するべく壁Ｗに向かうようにまたは壁Ｗから離れるように、ファンネルガイド６７２の後端部を移動するように構成される。
【００９８】
ファンネル調節アセンブリ６７０は、ファンネルガイド６７２の後部後側部分に固定される調節ブロック６７４によって規定される。調節ブロック６７４は、ファンネル本体部分６６８の内部の底部上に配置されるスライドレール６７８に沿って、（壁Ｗに向かうようにおよび壁Ｗから離れるように）横方向に摺動可能である。調節ブロック６７４を前後に移動させるために、調節ノブ６７６が調節ブロック６７４に固定される。調節ノブ６７６は、ユーザによってアクセス可能であるように、ファンネル本体部分６６８内に規定されたスロット６８０内を摺動可能である。その代りに、ファンネルガイド６７２の後端部が、たとえば自動的手段または電子的手段によって任意の好適な態様で移動され得るということが認識されるべきである。
【００９９】
図１８において分かり得るように、調節ブロック６７４は、後部ケーブル開口部６８８のサイズを調節するよう、スライドレール６７８に沿って横方向に移動される。より具体的には、調節ブロック６７４は、より小さなケーブルに対応するために後部ケーブル開口部６８８のサイズを減少するよう、壁Ｗに向かって横方向に移動される。より大きなケーブルに対応するために、調節ブロック６７４は、後部ケーブル開口部６８８のサイズを増加するよう壁Ｗから横方向に移動され得る。後部ケーブル開口部６８８のサイズが調節されると、調節可能なホイールアセンブリ７１０によるテープ留めのために、ケーブルはコーナーＸ内において位置合わせされ束ねられる。
【０１００】
床Ｆまたは任意の他の好適な表面に沿う本体６１４の転動に対応するために、テープアプリケータアセンブリ６１０は、後部転動ホイールアセンブリ６５０および前部転動ホイールアセンブリ６５８といった複数の転動ホイールを含む。後部転動ホイールアセンブリ６５０は、本体の後部縁に沿って位置決めされるとともに好適な態様で本体６１４内での回転のために支持される第１の転動ホイール６５２および第２の転動ホイール６５４を含み得、前部転動ホイールアセンブリ６５８は、本体６１４の前部縁に沿って配置されるとともに本体６１４内の回転のために支持される第１の転動ホイール６６０および第２の転動ホイール６６２を含み得る。
【０１０１】
テープアプリケータアセンブリ６１０はさらに、コーナー内において本体６１４を押し、操縦し、操作するために本体６１４に固定されたハンドル６２４を有するハンドルアセンブリ６２２を含み得る。その点に関して、ハンドル６２４は、コーナーに沿って本体６１４を移動させるために好適な角度で本体６１４から延在するということが認識され得る。示される実施形態において、ハンドル６２４は、床Ｆから約４５°の角度で、かつ、壁Ｗに実質的に平行に本体６１４から延在する。しかしながら、その代りに、ハンドル６２４は、少なくとも部分的に、壁Ｗと実質的に平行ではなく、壁Ｗに向かうように方向付けられ得るということが認識されるべきである。これにより、ユーザは、テープ留めの間に壁Ｗに対して本体６１４を維持するのを支援するよう、コーナーＸに向かってハンドル６２４の長さに沿って力を加えることができる。
【０１０２】
図１９および図２０を参照して、コアセンタリングおよびロッキングアセンブリ８００および９００の第１および第２の代替的な実施形態が示される。コアセンタリングおよびロッキングアセンブリ８００および９００は、コアを固定し、センタリングし、ハブに選択的にロックするためにコアとハブとの間に各々が規定されるという点で、コアセンタリングおよびロッキングアセンブリ１００と実質的に同様である。コアセンタリングおよびロッキングアセンブリ８００および９００のコアは、こぶ部１０２を有するハブ９８のような、実質的にセンタリングされた第１のロッキング機構を有する好適なハブと嵌合するように構成される（図６を参照）。したがって、コアセンタリングおよびロッキングアセンブリ８００および９００は、こぶ部１０２を有するハブ９８を参照して以下に記載される。しかしながら、コアセンタリングおよびロッキングアセンブリ８００および９００は任意の好適なハブから構成され得るということが認識されるべきである。さらに、コアセンタリングおよびロッキングアセンブリ８００および９００は、テープアプリケータアセンブリ１０、２１０、５１０、もしくは６１０、または、任意の他の好適なテープアプリケータアセンブリとともに使用され得る。
【０１０３】
図１９を参照して、コアセンタリングおよびロッキングアセンブリ８００は、ハブ９８上のこぶ部１０２のような第１のロッキング機構を除去可能に受け入れるように構成される、コア８１６の内表面上に規定された切欠部８３２のような第２のロッキング機構を含む。こぶ部１０２は、ハブ９８上にコア８１６を除去可能に固定するよう切欠部８３２内に除去可能に受け入れ可能である。その代りに、切欠部８３２がハブ９８上で規定されてもよく、こぶ部１０２がコア８１６上で規定されてもよいということが認識されるべきである。
【０１０４】
こぶ部１０２および切欠部８３２はそれぞれ、こぶ部１０２が切欠部８３２内に受け入れられるとコア８１６が自動的にハブ９８に軸方向においてセンタリングされるように、ハブ９８およびコア８１６上に位置決めされる。言いかえれば、こぶ部１０２は実質的にハブ９８上に軸方向においてセンタリングされ、切欠部８３２は実質的にコア８１６上に軸方向においてセンタリングされる。これにより、コア８１６は、こぶ部１０２が切欠部８３２内に受け入れられると、自動的にハブ９８に軸方向にセンタリングされる。切欠部８３２がコア８１６上で軸方向にセンタリングされると、その軸方向長（すなわち１インチの軸方向長、２インチの軸方向長、３インチの軸方向長など）にかかわらず、コア８１６は自動的にハブ９８上にセンタリングされることになるということが認識されるべきである。
【０１０５】
スロット８２４は、ハブ９８およびコア６１８のより容易な嵌合を可能にするよう、コア８１６の外縁部と切欠部８３２との間においてコア８１６の内表面に沿って軸方向に延在し得る。より具体的には、こぶ部１０２は、切欠部８３２内で係合するまで、スロット８２４によって規定されるスペース内において摺動し得る。その点に関して、こぶ部１０２が切欠部８３２内に受け入れられると、スナップ嵌合感覚または触覚的感覚をユーザに提供するようスロット８２４の端部に傾斜部分８２８が規定される。傾斜部分８２８の代わりに、スロット８２４は、（図６においてコア９４上に示されるように）切欠部８３２に向かって延在するにつれて、徐々に深さが減少してもよい。
【０１０６】
図１９を参照して、コアセンタリングおよびロッキングアセンブリ９００は、軸のスロット９２４がコア９１６の内部の全軸方向長に沿って延在するとともに中心に位置する切欠部９３２と交差する点を除いて、上に記載されたコアセンタリングおよびロッキングアセンブリ８００と実質的に同一である。これにより、コア９１６は、コア９１６のいずれかの開放端からハブ９８と嵌合し得る。コア９１６はさらに、こぶ部１０２が切欠部９３２内に受け入れられるとユーザにスナップ嵌合感覚または触覚的感覚を提供するよう切欠部９３２のいずれかの側上に傾斜部分を含み得るということが認識されるべきである。さらに、コアセンタリングおよびロッキングアセンブリ８００および９００のいずれかとともに、任意の他の好適な機構または機構の組合せが使用されてもよい。
【０１０７】
例示的な実施形態が説明および記載されたが、本開示の精神および範囲から逸脱することがなければ、当該実施形態においてさまざまな変更を行なうことが可能であることが認識される。
【０１０８】
排他的な特性または権限が請求される本発明の実施形態は以下のように規定される。
【図１】
2017506173.tif 000003
【図２】
2017506173.tif 000004
【図３】
2017506173.tif 000005
【図４】
2017506173.tif 000006
【図５】
2017506173.tif 000007
【図６】
2017506173.tif 000008
【図７】
2017506173.tif 000009
【図８Ａ】
2017506173.tif 000010
【図８Ｂ】
2017506173.tif 000011
【図９】
2017506173.tif 000012
【図１０】
2017506173.tif 000013
【図１１】
2017506173.tif 000014
【図１２】
2017506173.tif 000015
【図１３】
2017506173.tif 000016
【図１４】
2017506173.tif 000017
【図１５】
2017506173.tif 000018
【図１６】
2017506173.tif 000019
【図１７】
2017506173.tif 000020
【図１８】
2017506173.tif 000021
【図１９】
2017506173.tif 000022
【図２０】
2017506173.tif 000023
【手続補正書】
【提出日】平成27年8月15日(2015.8.15)
【手続補正１】
【補正対象書類名】特許請求の範囲
【補正対象項目名】全文
【補正方法】変更
【補正の内容】
【特許請求の範囲】
【請求項１】
第１の表面にテープを固定するためのテープアプリケータアセンブリであって、
（ａ）本体と、
（ｂ）供給のために前記本体内において自動的にテープアセンブリをセンタリングおよびロックするように構成されるセンタリングおよびロッキングアセンブリとを含み、
前記テープアセンブリは、コア軸方向長を有するコア上に固定されるテープロールを含み、前記コアは、ハブ軸方向長を有するハブ上に除去可能に軸方向に受け入れ可能であり、前記ハブは前記本体内において回転可能に固定可能であり、
前記センタリングおよびロッキングアセンブリは、第１のセンタリング位置のみにおいて前記ハブ上に前記コアを除去可能に固定するように構成される、テープアプリケータアセンブリ。
【請求項２】
前記テープアセンブリは、外表面、内表面、および、第１の横方向接着部分と第２の横方向接着部分との間で前記内表面に沿って長手方向に延在する中間接着部分を有するテープを含み、前記中間接着部分は、前記第１の横方向接着部分および前記第２の横方向接着部分よりも粘着性が少ない、請求項１に記載のアセンブリ。
【請求項３】
前記コア軸方向長は前記ハブ軸方向長と異なる、請求項１に記載のアセンブリ。
【請求項４】
前記センタリングおよびロッキングアセンブリはさらに、前記コアの内部円筒表面上に規定される第１のロッキング機構を含み、前記第１のロッキング機構は、前記ハブの外部円筒表面上に規定される第２のロッキング機構と接続するように構成される、請求項１に記載のアセンブリ。
【請求項５】
前記第１のロッキング機構は軸方向において前記コア上で実質的にセンタリングされ、前記第２のロッキング機構は軸方向において前記ハブ上で実質的にセンタリングされる、請求項４に記載のアセンブリ。
【請求項６】
前記第１のロッキング機構は、突出部および環状溝のうちの一方であり、前記第２のロッキング機構は、前記突出部および前記環状溝のうちの他方であり、前記突出部は前記環状溝内において除去可能に受け入れ可能である、請求項４に記載のアセンブリ。
【請求項７】
前記センタリングおよびロッキングアセンブリはさらに、前記コアおよび前記ハブのうちの一方上で軸方向においてセンタリングされる単一の突出部と、前記コアおよび前記ハブのうちの他方上で軸方向においてセンタリングされる単一の環状溝とを含み、前記突出部は、前記ハブ上で前記コアをセンタリングおよびロックするために、前記環状溝内に除去可能に受け入れ可能である、請求項１に記載のアセンブリ。
【請求項８】
前記本体内に前記ハブを除去可能に回転可能に固定するように構成されるハブロッキングアセンブリをさらに含む、請求項７に記載のアセンブリ。
【請求項９】
前記ハブロッキングアセンブリは、
（ａ）前記本体内に固定されるシャフトと、
（ｂ）前記シャフトを回転可能に受け入れるように構成される、前記ハブ内に規定される中心貫通孔と、
（ｃ）前記ハブと前記シャフトとの間に規定されるベアリングアセンブリとを含む、請求項８に記載のアセンブリ。
【請求項１０】
前記ハブロッキングアセンブリはさらに、前記シャフト上に前記ハブを除去可能に固定するための締結アセンブリを含み、前記締結アセンブリは、前記ハブが前記シャフト上に受け入れられると、前記シャフト内に除去可能に受け入れ可能な締結具を有する、請求項９に記載のアセンブリ。
【請求項１１】
前記締結アセンブリはさらに、前記ハブが前記シャフトの周りを回転する能力を調節するために前記締結具が選択的に締められると、前記ハブの部分と係合可能なノブを含む、請求項１０に記載のアセンブリ。
【請求項１２】
前記テープロールは、外表面、内表面、および、第１の横方向接着部分と第２の横方向接着部分との間で前記内表面に沿って長手方向に延在する中間接着部分を有するテープから構成され、前記中間接着部分は、前記第１の横方向接着部分および前記第２の横方向接着部分よりも粘着性が少ない、請求項８に記載のアセンブリ。
【請求項１３】
少なくとも１つのケーブルおよび第１の表面にテープを固定するためのテープアプリケータアセンブリであって、
（ａ）第１の表面上に位置決めされる少なくとも１つのケーブルに沿って移動可能な本体と、
（ｂ）テープを有するテープアセンブリを受け入れるための、前記本体に規定されるテープ受入キャビティとを含み、前記テープアセンブリは、前記テープが前記本体からの供給のために位置決めされるように前記テープ受入キャビティ内に受け入れ可能であり、前記テープアプリケータアセンブリはさらに、
（ｃ）前記本体内に規定されるテープ適用アセンブリを含み、前記テープ適用アセンブリは、前記本体が前記第１の表面上で前記少なくとも１つのケーブルに沿って移動すると、前記少なくとも１つのケーブルおよび前記第１の表面の両方へ前記テープを接着するように構成され、前記テープ適用アセンブリは、前記本体が前記表面上を前記少なくとも１つのケーブルに沿って移動すると前記少なくとも１つのケーブルに圧力を加えるよう変形可能である中間テープ適用部分を有するホイールアセンブリを含み、前記テープ適用部分は、前記第１の表面と係合可能な横方向転動ホイール同士の間に配置され、前記横方向転動ホイールは直径が前記テープ適用部分より小さい、テープアプリケータアセンブリ。
【請求項１４】
前記テープ適用アセンブリは、前記テープアセンブリと前記ホイールアセンブリとの間に位置決めされる引っ張り器をさらに含み、前記引っ張り器は、供給の間に前記テープにおいて張力を維持するために前記テープと係合可能である、請求項１３に記載のアセンブリ。
【請求項１５】
供給のために前記本体内において自動的に前記テープアセンブリをセンタリングおよびロックするように構成されるセンタリングおよびロッキングアセンブリをさらに含む、請求項１３に記載のアセンブリ。
【請求項１６】
前記テープアセンブリは、外表面、内表面、および、第１の横方向接着部分と第２の横方向接着部分との間で前記内表面に沿って長手方向に延在する中間接着部分を有するテープを含み、前記中間接着部分は、前記第１の横方向接着部分および前記第２の横方向接着部分よりも粘着性が少ない、請求項１５に記載のアセンブリ。
【請求項１７】
前記テープアセンブリは、コア軸方向長を有するコア上に固定されるテープロールを含み、前記コアは、ハブ軸方向長を有するハブ上に除去可能に軸方向に受け入れ可能であり、前記ハブは前記本体内において回転可能に固定可能である、請求項１５に記載のアセンブリ。
【請求項１８】
前記テープロールは、外表面、内表面、および、第１の横方向接着部分と第２の横方向接着部分との間で前記内表面に沿って長手方向に延在する中間接着部分を有するテープを含み、前記中間接着部分は、前記第１の横方向接着部分および前記第２の横方向接着部分よりも粘着性が少ない、請求項１７に記載のアセンブリ。
【請求項１９】
前記センタリングおよびロッキングアセンブリはさらに、前記コアおよび前記ハブのうちの一方上で軸方向においてセンタリングされる突出部と、前記コアおよび前記ハブのうちの他方上で軸方向においてセンタリングされる環状溝とを含み、前記突出部は、前記ハブ上で前記コアをセンタリングおよびロックするために、前記環状溝内に除去可能に受け入れ可能である、請求項１７に記載のアセンブリ。
【請求項２０】
前記本体内に前記ハブを除去可能に回転可能に固定するように構成されるハブロッキングアセンブリをさらに含む、請求項１９に記載のアセンブリ。
【請求項２１】
前記ハブロッキングアセンブリは、
（ａ）前記本体内に固定されるシャフトと、
（ｂ）前記シャフトを回転可能に受け入れるように構成される、前記ハブ内に規定される中心貫通孔と、
（ｃ）前記ハブと前記シャフトとの間に規定されるベアリングアセンブリとを含む、請求項２０に記載のアセンブリ。
【請求項２２】
前記ハブロッキングアセンブリはさらに、前記シャフト上に前記ハブを除去可能に固定するために締結アセンブリを含み、前記締結アセンブリは、前記ハブが前記シャフト上に受け入れられると、前記シャフト内に除去可能に受け入れ可能な締結具を有する、請求項２１に記載のアセンブリ。
【請求項２３】
前記締結アセンブリはさらに、前記ハブが前記シャフトの周りを回転する能力を調節するために前記締結具が選択的に締められると、前記ハブの部分と係合可能なノブを含む、請求項２２に記載のアセンブリ。
【請求項２４】
少なくとも１つのケーブルおよび第１の表面にテープを固定するためのテープアプリケータアセンブリであって、
（ａ）第１の表面上に位置決めされる少なくとも１つのケーブルに沿って移動可能な本体と、
（ｂ）テープ中心長手方向軸を有するテープを有するテープアセンブリを受け入れるための、前記本体に規定されるテープ受入キャビティとを含み、前記テープアセンブリは、前記テープが前記本体からの供給のために位置決めされるように前記テープ受入キャビティ内に受け入れ可能であり、前記テープアプリケータアセンブリはさらに、
（ｃ）前記本体内に規定されるケーブル位置合せアセンブリを含み、前記ケーブル位置合せアセンブリは、前記本体が前記表面上で前記少なくとも１つのケーブルに沿って移動すると、前記第１の表面に対して位置決めされる前記少なくとも１つのケーブルを受け入れ、かつ、前記少なくとも１つのケーブルを前記テープ中心長手方向軸と実質的に位置合わせするように構成され、
前記ケーブル位置合せアセンブリは、前記少なくとも１つのケーブルを受け入れるとともに前記テープ中心長手方向軸と実質的に位置合わせするための、前記本体の底部内部内に規定されるファンネルを含み、前記ファンネルは、前記本体の前部における前部ケーブル開口部と、前記前部ケーブル開口部の反対の後部ケーブル開口部とを規定し、前記ファンネルは前記前部ケーブル開口部から前記後部ケーブル開口部までサイズがテーパし、
前記ファンネルは、前記後部ケーブル開口部のサイズおよび形状のうちの少なくとも１つを調節するように構成される第１の調節可能なファンネルピースを含む、テープアプリケータアセンブリ。
【請求項２５】
前記テープは、外表面、内表面、および、前記テープの前記内表面上において第１の横方向接着部分と第２の横方向接着部分との間を前記テープ中心長手方向軸に沿って延在する中間接着部分を有し、前記中間接着部分は、前記第１の横方向接着部分および前記第２の横方向接着部分よりも粘着性が少ない、請求項２４に記載のアセンブリ。
【請求項２６】
前記ケーブル位置合せアセンブリは、前記少なくとも１つのケーブルが前記後部ケーブル開口部から出ると、前記少なくとも１つのケーブルを係合し前記少なくとも１つのケーブルの位置合せを維持するための付勢部材をさらに含む、請求項２４に記載のアセンブリ。
【請求項２７】
前記本体内に規定されるテープ適用アセンブリをさらに含み、前記テープ適用アセンブリは、前記本体が前記第１の表面上で前記少なくとも１つのケーブルに沿って移動すると、前記少なくとも１つのケーブルおよび前記第１の表面の両方へ前記テープを接着するように構成される、請求項２４に記載のアセンブリ。
【請求項２８】
前記テープ適用アセンブリは、前記本体が前記第１の表面上を前記少なくとも１つのケーブルに沿って移動すると前記少なくとも１つのケーブルおよび前記第１の表面の両方に圧力を加えるよう変形可能であるテープ適用部分を有するホイールアセンブリを含む、請求項２７に記載のアセンブリ。
【請求項２９】
前記テープ適用アセンブリは、前記テープアセンブリと前記ホイールアセンブリとの間に位置決めされる引っ張り器をさらに含み、前記引っ張り器は、供給の間に前記テープにおいて張力を維持するために前記テープと係合可能である、請求項２８に記載のアセンブリ。
【請求項３０】
供給のために前記本体内において自動的に前記テープアセンブリをセンタリングおよびロックするように構成されるセンタリングおよびロッキングアセンブリをさらに含む、請求項２４または２７に記載のアセンブリ。
【請求項３１】
前記テープアセンブリは、コア軸方向長を有するコア上に固定されるテープロールを含み、前記コアは、ハブ軸方向長を有するハブ上に除去可能に軸方向に受け入れ可能であり、前記ハブは前記本体内において回転可能に固定可能である、請求項３０に記載のアセンブリ。
【請求項３２】
前記センタリングおよびロッキングアセンブリはさらに、前記コアおよび前記ハブのうちの一方上で軸方向においてセンタリングされる突出部と、前記コアおよび前記ハブのうちの他方上で軸方向においてセンタリングされる環状溝とを含み、前記突出部は、前記ハブ上で前記コアをセンタリングおよびロックするために、前記環状溝内に除去可能に受け入れ可能である、請求項３１に記載のアセンブリ。
【請求項３３】
前記本体内に前記ハブを除去可能に回転可能に固定するように構成されるハブロッキングアセンブリをさらに含む、請求項３２に記載のアセンブリ。
【請求項３４】
前記ハブロッキングアセンブリは、
（ａ）前記本体内に固定されるシャフトと、
（ｂ）前記シャフトを回転可能に受け入れるように構成される、前記ハブ内に規定される中心貫通孔と、
（ｃ）前記ハブと前記シャフトとの間に規定されるベアリングアセンブリとを含む、請求項３３に記載のアセンブリ。
【請求項３５】
前記ハブロッキングアセンブリはさらに、前記シャフト上に前記ハブを除去可能に固定するために締結アセンブリを含み、前記締結アセンブリは、前記ハブが前記シャフト上に受け入れられると、前記シャフト内に除去可能に受け入れ可能な締結具を有する、請求項３４に記載のアセンブリ。
【請求項３６】
前記締結アセンブリはさらに、前記ハブが前記シャフトの周りを回転する能力を調節するために前記締結具が選択的に締められると、前記ハブの部分と係合可能なノブを含む、請求項３５に記載のアセンブリ。
【請求項３７】
前記第１の表面に沿った前記本体の動きをガイドするように構成される位置合せメカニズムをさらに含む、請求項１、１３、または２４に記載のアセンブリ。
【請求項３８】
前記位置合せメカニズムはレーザである、請求項３７に記載のアセンブリ。
【請求項３９】
前記テープ適用部分は、前記第１の表面と係合可能な横方向転動ホイール同士の間に配置され、前記横方向転動ホイールは直径が前記テープ適用部分より小さい、請求項２８に記載のアセンブリ。
【請求項４０】
前記テープ適用部分は圧縮可能である、請求項３９に記載のアセンブリ。
【請求項４１】
前記第１の調節可能なファンネルピースは、少なくとも第２の調節可能なファンネルピースと交換可能である、請求項２４に記載のアセンブリ。
【請求項４２】
前記第１の調節可能なファンネルピースから後方に延在する第１および第２のホイールアセンブリアームをさらに含み、前記第１および第２のホイールアセンブリアームは、前記本体内にホイールアセンブリを回転可能に配置するように構成される、請求項２４に記載のアセンブリ。
【請求項４３】
前記ホイールアセンブリは、前記本体が前記第１の表面上を前記少なくとも１つのケーブルに沿って移動すると、前記少なくとも１つのケーブルおよび前記第１の表面の両方に圧力を加えるようサイズ決めされる、請求項４２に記載のアセンブリ。
【請求項４４】
前記ホイールアセンブリは、前記本体が前記第１の表面上を前記少なくとも１つのケーブルに沿って移動すると、前記少なくとも１つのケーブルおよび前記第１の表面の両方に圧力を加えるよう変形可能なテープ適用部分を含む、請求項４２に記載のアセンブリ。
【請求項４５】
前記テープ適用アセンブリはさらに、前記テープの非接着外表面と係合可能であるテープガイドを含む、請求項２７に記載のアセンブリ。
【請求項４６】
前記テープガイドは、前記少なくとも１つのケーブルとの係合のために前記テープを形状決めするように構成される、請求項４５に記載のアセンブリ。
【請求項４７】
前記テープガイドは、前記テープの接着側が前記少なくとも１つのケーブルと実質的に前記テープ中心長手方向軸上で係合するように、前記テープを形状決めするように構成される、請求項４５に記載のアセンブリ。
【請求項４８】
前記テープガイドは、第１および第２の実質的に円錐台形状の部分によって規定され、各円錐台形状部分はテーパされた端部を規定しており、前記第１および第２の実質的に円錐台形状部分の前記テーパされた端部は互いに反対に配置される、請求項４５に記載のアセンブリ。
【請求項４９】
前記テープアセンブリと前記ホイールアセンブリとの間に配置されるテープガイドをさらに含み、前記テープガイドは、前記テープの非接着外表面と係合可能である、請求項２８に記載のアセンブリ。
【請求項５０】
前記テープガイドは、前記少なくとも１つのケーブルとの係合のために前記テープを形状決めするように構成される、請求項４９に記載のアセンブリ。
【請求項５１】
前記テープガイドは、前記テープの接着側が前記少なくとも１つのケーブルと実質的に前記テープ中心長手方向軸上で係合するように、前記テープを形状決めするように構成される、請求項４９に記載のアセンブリ。
【請求項５２】
前記テープガイドは、第１および第２の実質的に円錐台形状の部分によって規定され、各円錐台形状部分はテーパされた端部を規定しており、前記第１および第２の実質的に円錐台形状部分の前記テーパされた端部は互いに反対に配置される、請求項４９に記載のアセンブリ。
【請求項５３】
前記ファンネルは、前記前部ケーブル開口部と前記後部ケーブル開口部との間を延在する第１および第２のファンネルガイドによって規定される、請求項２４に記載のアセンブリ。
【請求項５４】
前記第１および第２のファンネルガイドは、前記後部ケーブル開口部の前記サイズを増加または減少させるための第１および第２のファンネル調節アセンブリによって調節可能である、請求項５３に記載のアセンブリ。
【請求項５５】
前記第１および第２のファンネル調節アセンブリは、前記第１および第２のファンネルガイドに結合される第１および第２のブラケットを含み、前記第１および第２のブラケットは、互いに向かうようにまたは互いから離れるように前記第１および第２のファンネルガイドを移動させるために第１および第２の旋回点の周りを移動可能である、請求項５４に記載のアセンブリ。
【請求項５６】
前記第１および第２のファンネル調節アセンブリは、互いに向かうようにまたは互いから離れるように前記第１および第２のファンネルガイドを移動させるために前記第１および第２のファンネルガイドと選択的に係合可能である第１および第２の楕円形状調節器を含む、請求項５４に記載のアセンブリ。
【請求項５７】
前記センタリングおよびロッキングアセンブリはさらに、前記コアおよび前記ハブのうちの一方上で軸方向においてセンタリングされる単一の突出部と、前記コアおよび前記ハブのうちの他方上で軸方向においてセンタリングされる単一の切欠部とを含み、前記突出部は、前記ハブ上で前記コアをセンタリングおよびロックするために、前記切欠部内に除去可能に受け入れ可能である、請求項１に記載のアセンブリ。
【請求項５８】
前記コアおよび前記ハブのうちの１つの縁部と前記切欠部との間を軸方向に延在するスロットをさらに含む、請求項５７に記載のアセンブリ。
【請求項５９】
前記コアおよび前記ハブのうちの１つの第１の縁部と第２の縁部と間を延在するとともに前記切欠部と交差するスロットをさらに含む、請求項５８に記載のアセンブリ。
【請求項６０】
前記第１のロッキング機構は、突出部および切欠部のうちの一方であり、前記第２のロッキング機構は、前記突出部および前記切欠部のうちの他方であり、前記突出部は前記切欠部内において除去可能に受け入れ可能である、請求項１に記載のアセンブリ。
【請求項６１】
前記コアおよび前記ハブのうちの１つの縁部と前記切欠部との間を軸方向に延在するスロットをさらに含む、請求項６０に記載のアセンブリ。
【請求項６２】
前記コアおよび前記ハブのうちの１つの第１の縁部と第２の縁部と間を延在するとともに前記切欠部と交差するスロットをさらに含む、請求項６１に記載のアセンブリ。
【請求項６３】
前記テープの前記外表面と係合可能なテープガイドをさらに含む、請求項２に記載のアセンブリ。
【請求項６４】
前記テープガイドは、前記中間接着部分が前記少なくとも１つのケーブルと係合するように前記テープを形状決めするように構成される、請求項６３に記載のアセンブリ。
【請求項６５】
前記テープガイドは、前記第１および第２の横方向接着部分が前記第１の表面に係合するのに先立って前記中間接着部分が前記少なくとも１つのケーブルと係合するように、前記テープを形状決めするように構成される、請求項６３に記載のアセンブリ。
【請求項６６】
前記テープガイドは、第１および第２の実質的に円錐台形状の部分によって規定され、各円錐台形状部分はテーパされた端部を規定しており、前記第１および第２の実質的に円錐台形状部分の前記テーパされた端部は互いに反対に配置される、請求項６３に記載のアセンブリ。
【請求項６７】
前記本体内に規定されるケーブル位置合せアセンブリをさらに含み、前記ケーブル位置合せアセンブリは、前記本体が前記第１の表面上で前記少なくとも１つのケーブルに沿って移動すると、前記第１の表面に対して位置決めされる前記少なくとも１つのケーブルを受け入れ、かつ、前記少なくとも１つのケーブルを前記テープ中心長手方向軸と実質的に位置合わせするように構成される、請求項１３に記載のアセンブリ。
【請求項６８】
前記本体内に規定されるテープ適用アセンブリをさらに含み、前記テープ適用アセンブリは、前記本体が前記第１の表面上で前記少なくとも１つのケーブルに沿って移動すると、前記少なくとも１つのケーブルおよび前記第１の表面の両方へ前記テープを接着するように構成される、請求項２４に記載のアセンブリ。
【請求項６９】
少なくとも１つのケーブルおよび第１の表面にテープを固定するためのテープアプリケータアセンブリであって、
（ａ）第１の表面上に位置決めされる少なくとも１つのケーブルに沿って移動可能な本体と、
（ｂ）テープを有するテープアセンブリを受け入れるための、前記本体に規定されるテープ受入キャビティとを含み、前記テープアセンブリは、前記テープが前記本体からの供給のために位置決めされるように前記テープ受入キャビティ内に受け入れ可能であり、前記テープアプリケータアセンブリはさらに、
（ｃ）前記本体内に規定されるテープ適用アセンブリを含み、前記テープ適用アセンブリは、前記本体が前記第１の表面上で前記少なくとも１つのケーブルに沿って移動すると、前記少なくとも１つのケーブルおよび前記第１の表面の両方へ前記テープを接着するように構成され、
前記テープ適用アセンブリは、前記第１の表面および第２の表面によって規定されるコーナー内に位置決めされる少なくとも１つのケーブルにテープを固定するために、前記本体のコーナー内に配置されるホイールアセンブリを含み、
前記ホイールアセンブリは、第１の回転軸を有する第１のホイールと、第２の回転軸を有する第２のホイールとを含み、前記第１の回転軸は前記第２の回転軸に対して実質的に横断方向に配置され、前記第１のホイールは、前記第１の回転軸を前記第２の回転軸に対して実質的に横断方向に維持しつつ、前記第２のホイールに向かうようにおよび前記第２のホイールから離れるように移動可能である、テープアプリケータアセンブリ。
【請求項７０】
前記テープ適用アセンブリは、前記テープアセンブリと前記ホイールアセンブリとの間に位置決めされるテープガイドをさらに含み、前記テープガイドは、前記テープの非接着外表面と係合可能である、請求項６９に記載のアセンブリ。
【請求項７１】
前記テープガイドは、前記コーナー内に位置決めされる前記少なくとも１つのケーブルとの係合のために前記テープを形状決めするように構成される、請求項７０に記載のアセンブリ。
【請求項７２】
前記テープガイドは、前記テープの接着側が、前記コーナー内に位置決めされる前記少なくとも１つのケーブルと実質的に前記テープ中心長手方向軸上で係合するように、前記テープを形状決めするように構成される、請求項７０に記載のアセンブリ。
【請求項７３】
前記テープガイドは第１の部分および第２の部分を含み、前記第１の部分と前記第２の部分と間に鋭角が規定される、請求項７０に記載のアセンブリ。
【請求項７４】
前記少なくとも１つのケーブルを受け入れるとともに前記テープ中心長手方向軸と実質的に位置合わせするための、前記本体の底部内部内に規定されるファンネルを有するケーブル位置合せアセンブリをさらに含み、前記ファンネルは、前記本体の前部における前部ケーブル開口部と、前記前部ケーブル開口部の反対の後部ケーブル開口部とを規定し、前記ファンネルは前記前部ケーブル開口部から前記後部ケーブル開口部までサイズがテーパする、請求項６９に記載のアセンブリ。
【請求項７５】
前記ファンネルは、前記テープアプリケータアセンブリが前記コーナー内においてケーブルをテープで留めるために位置決めされると、ファンネルガイドおよび前記第２の表面によって規定される、請求項７４に記載のアセンブリ。
【請求項７６】
前記ファンネルガイドは、前記後部ケーブル開口部のサイズを増加または減少させるために、前記第２の表面に向かうようにまたは前記第２の表面から離れるように移動可能である、請求項７５に記載のアセンブリ。
【請求項７７】
少なくとも１つのケーブルおよび第１の表面にテープを固定するためのテープアプリケータアセンブリであって、
（ａ）第１の表面上に位置決めされる少なくとも１つのケーブルに沿って移動可能な本体と、
（ｂ）テープを有するテープアセンブリを受け入れるための、前記本体に規定されるテープ受入キャビティとを含み、
前記テープアセンブリは、前記テープが前記本体からの供給のために位置決めされるように前記テープ受入キャビティ内に受け入れ可能であり、前記テープアプリケータアセンブリはさらに、
（ｃ）前記本体内に規定されるテープ適用アセンブリを含み、前記テープ適用アセンブリは、前記本体が前記第１の表面上で前記少なくとも１つのケーブルに沿って移動すると、前記少なくとも１つのケーブルおよび前記第１の表面の両方へ前記テープを接着するように構成され、
前記テープ適用アセンブリは、前記本体が前記第１の表面上で前記少なくとも１つのケーブルに沿って移動すると、前記少なくとも１つのケーブルの各側上において前記テープに圧力を加えるように構成される第１および第２のホイールセットを有するホイールアセンブリを含み、
前記第１および第２のホイールセットは、前記少なくとも１つのケーブルの幅に実質的に対応するホイールギャップを規定するよう、第１および第２のホイールセット調節アセンブリを通って互いに向かうようにおよび互いから離れるように移動可能である、テープアプリケータアセンブリ。
【請求項７８】
前記テープアセンブリと前記ホイールアセンブリとの間に配置されるテープガイドをさらに含み、前記テープガイドは、前記テープの非接着外表面と係合可能である、請求項７７に記載のアセンブリ。
【請求項７９】
前記テープガイドは、前記少なくとも１つのケーブルとの係合のために前記テープを形状決めするように構成される、請求項７８に記載のアセンブリ。
【請求項８０】
前記テープガイドは、前記テープの接着側が前記少なくとも１つのケーブルと実質的に前記テープ中心長手方向軸上で係合するように、前記テープを形状決めするように構成される、請求項７８に記載のアセンブリ。
【請求項８１】
前記テープガイドは、第１および第２の実質的に円錐台形状の部分によって規定され、各円錐台形状部分はテーパされた端部を規定しており、前記第１および第２の実質的に円錐台形状部分の前記テーパされた端部は互いに反対に配置される、請求項７８に記載のアセンブリ。
【請求項８２】
少なくとも１つのケーブルおよび第１の表面にテープを固定する方法であって、
（ａ）テープアプリケータアセンブリ本体からテープを供給し、第１の表面上に位置決めされる少なくとも１つのケーブルに沿って前記本体を移動させることを含み、前記テープはテープ中心長手方向軸を有しており、前記方法はさらに、
（ｂ）前記テープの非接着外表面をテープガイドと係合することと、
（ｃ）前記本体が前記第１の表面上を前記少なくとも１つのケーブルに沿って移動すると、前記少なくとも１つのケーブルおよび前記第１の表面の両方に前記テープを接着することとを含み、前記テープガイドは、前記テープの接着内表面が前記少なくとも１つのケーブルと実質的に前記テープ中心長手方向軸上で係合するように、前記テープを形状決めするように構成される、方法。
【請求項８３】
前記テープガイドは、第１および第２の横方向接着部分の間に配置される中間接着部分が前記少なくとも１つのケーブルに係合するように前記テープを形状決めするように構成される、請求項８２に記載のアセンブリ。
【請求項８４】
前記テープガイドは、前記第１および第２の横方向接着部分が前記第１の表面に係合するのに先立って前記中間接着部分が前記少なくとも１つのケーブルと係合するように、前記テープを形状決めするように構成される、請求項８３に記載のアセンブリ。
【請求項８５】
前記テープガイドは、第１および第２の実質的に円錐台形状の部分によって規定され、各円錐台形状部分はテーパされた端部を規定しており、前記第１および第２の実質的に円錐台形状部分の前記テーパされた端部は互いに反対に配置される、請求項８２に記載のアセンブリ。
【国際調査報告】
2017506173.tif 000024
2017506173.tif 000025
2017506173.tif 000026